(57)【要約】【課題】一服（一包み）の内容量が少なく、且つ分割数が少ない場合であっても、一服用分の包みの中に、正確な量の薬剤を入れることができる薬剤払出し装置を提供する。【解決手段】散薬を排出する薬剤フィーダ５と、分配皿２０１と、掻出装置６００と、薬剤包装装置４１０とを有する。分散配置モードにおいては、薬剤容器２から分配皿２０１に薬剤を落下させる際、分配皿２０１を回転させず、一服用分の薬剤だけを分配皿２０１の薬剤投入溝２０８に落下させる。一服用分の薬剤を落下し終えると、薬剤の排出を中断し、分配皿２０１を僅かに回転させる。この工程を繰り返し、分配皿２０１の溝面に３山の散薬２２，２３，２４の群を作る。その後、掻出機構６０６を分配皿２０１の薬剤投入溝２０８内に入れ、薬剤を掻き出す。【選択図】図３
2019103874.tif 000002
【特許請求の範囲】
【請求項１】
散薬を排出する薬剤フィーダと、動力によって回転される分配皿と、分配皿に投入された散薬を掻き出す掻出装置と、薬剤包装装置とを有し、薬剤フィーダから分配皿に散薬を供給し、分配皿上の散薬を一服用分ずつ掻出装置で掻き出して薬剤包装装置に投入し、散薬を一服用分ずつ包装する薬剤払出し装置において、
前記薬剤フィーダは、散薬の排出量を監視し所望の量の散薬を排出することが可能であり、薬剤フィーダから散薬を一服用分ずつ分配皿に供給し、その間分配皿を停止又は回転させて分配皿上に散薬を一服用分ずつ間隔を開けて配置する分散配置モードでの運転が可能であることを特徴とする薬剤払出し装置。
【請求項２】
分散配置モードにおいては、薬剤フィーダから散薬を分配皿に供給する際に分配皿の回転を停止し、薬剤フィーダから一服用分の散薬が分配皿に供給されると薬剤フィーダから分配皿に対する散薬の供給を一時的に停止し、その後に分配皿を所定の角度だけ回転し、さらにその後に薬剤フィーダから分配皿に対する散薬の供給を再開し、この一連の動作を繰り返すことを特徴とする請求項１に記載の薬剤払出し装置。
【請求項３】
前記薬剤フィーダは、薬剤容器と、本体装置によって構成され、
前記薬剤容器は、本体装置に対して着脱自在であり、前記薬剤容器には薬剤を排出する薬剤排出部があり、
本体装置は、振動台と、振動台を振動させる加振手段と、振動台に薬剤容器を一時的に固定する容器保持手段と、薬剤容器の重量を直接的または間接的に測定する重量測定手段とを有し、
薬剤容器を振動台に載置し、容器保持手段で薬剤容器を振動台に固定し、振動台を振動させて薬剤排出部から散薬を少量ずつ排出し、重量測定手段によって散薬の排出量を検知することが可能であることを特徴とする請求項１又は２に記載の薬剤払出し装置。
【請求項４】
薬剤払出し装置はその内部に、容器保管装置が設けられ、
さらに容器移動手段が設けられ、容器移動手段によって容器保管装置から所定の薬剤容器を取り出して振動台に載置し、薬剤容器から散薬を排出させて分配皿に投入し、掻出装置によって分配皿に投入された散薬を掻き出して薬剤包装領域側に送り、薬剤包装装置によって薬剤を包装し、
排出を終えた薬剤容器を容器移動手段によって容器保管装置に戻すことが可能であることを特徴とする請求項３に記載の薬剤払出し装置。
【請求項５】
動力によって回転される分配皿と、分配皿に投入された散薬を掻き出す掻出装置と、薬剤包装装置とを有し、分配皿に散薬を供給し、分配皿上の散薬を掻出装置で掻き出して薬剤包装装置に投入し、散薬を一服用分ずつ包装する薬剤払出し装置において、
散薬を一服用分ずつ又は一服用分だけ分配皿に供給し、その間分配皿を停止又は回転させて分配皿上に一又は複数の散薬群を形成し、分配皿上であって前記散薬群の周方向両側には散薬が存在しない空間領域を形成させる分散配置モードでの運転が可能であり、
掻出装置によって前記散薬群を掻き出して薬剤包装装置に投入することを特徴とする薬剤払出し装置。
【請求項６】
分配皿を清掃する清掃装置を有し、分散配置モードでの運転が行われた後に清掃装置によって分配皿を清掃する際には、少なくとも散薬が存在していた部位または領域が清掃されることを特徴とする請求項１乃至５のいずれかに記載の薬剤払出し装置。
【請求項７】
分散配置モードにおいては、分配皿に供給する一服用分の散薬の量を個別に変化させ、分配皿上に複数配置される一服用分の散薬群の中に、量の異なる散薬群を混在させることが可能であることを特徴とする請求項１乃至６のいずれかに記載の薬剤払出し装置。
【請求項８】
複数の薬剤フィーダを有し、
分散配置モードにおける動作の一つとして、混合モードがあり、混合モードにおいては、一つの薬剤フィーダから排出された散薬と、他の薬剤フィーダから排出された散薬とを分配皿の同じ箇所又は近接した箇所に供給し、一つの薬剤フィーダから排出された散薬と、他の薬剤フィーダから排出された散薬とを一つの混合薬剤群とし、まとめて掻出装置で掻き出すことを特徴とする請求項１乃至７のいずれかに記載の薬剤払出し装置。
【請求項９】
混合モードにおいては、駆動させる薬剤フィーダと、薬剤フィーダから排出される散薬の量を個別に変更することが可能であり、混合状態が異なる混合薬剤群を作ることが可能であることを特徴とする請求項８に記載の薬剤払出し装置。
【請求項１０】
混合モードにおいては、同時に複数の薬剤フィーダを動作させる同時排出動作を実行し、その後に分配皿を一定角度だけ回転して、先に排出された散薬の近傍に先に排出に使用した薬剤フィーダと異なる薬剤フィーダを相対的に近接し、近接した薬剤フィーダから散薬を排出することが可能であることを特徴とする請求項８又は９に記載の薬剤払出し装置。
【請求項１１】
分配皿を逆回転することが可能であり、混合モードにおいては、薬剤フィーダから散薬を排出して分配皿の複数の箇所に散薬を配置し、その後に分配皿を逆回転し、先に配置された散薬の近傍に先に排出に使用した薬剤フィーダと異なる薬剤フィーダを相対的に近接し、近接した薬剤フィーダから散薬を排出することが可能であることを特徴とする請求項８乃至１０のいずれかに記載の薬剤払出し装置。
【請求項１２】
散薬を排出する薬剤フィーダと、動力によって回転される分配皿と、分配皿に投入された散薬を掻き出す掻出装置と、薬剤包装装置を備えた薬剤払出し装置を使用して薬剤を払い出す薬剤払出し方法であって、
散薬を一服用分ずつ分配皿に供給し、その間分配皿を停止又は回転させて分配皿上に散薬群を一服用分ずつ間隔を開けて分散配置し、分散配置された散薬群を一群ずつ掻出装置で掻き出して薬剤包装領域側に送り、薬剤包装装置によって薬剤を一服用分ずつ包装して排出することを特徴とする薬剤払出し方法。
【請求項１３】
薬剤フィーダから散薬を分配皿に供給する際に分配皿の回転を停止するかあるいは極低速で回転し、薬剤フィーダから一服用分の散薬が分配皿に供給されると薬剤フィーダから分配皿に対する散薬の供給を一時的に停止し、その後に分配皿を所定の角度だけ回転し、さらにその後に薬剤フィーダから分配皿に対する散薬の供給を再開し、この一連の動作を繰り返すことを特徴とする請求項１２に記載の薬剤払出し方法。
【請求項１４】
分配皿上には複数の散薬群が形成され、前記散薬群は、いずれも同一の患者が服用すべき散薬であることを特徴とする請求項１２又は１３に記載の薬剤払出し方法。
【請求項１５】
分配皿上には複数の散薬群が形成され、当該散薬群には異なる患者が服用すべき散薬群が混在することを特徴とする請求項１２又は１３に記載の薬剤払出し方法。
【請求項１６】
薬剤フィーダから排出する一服用分の散薬の量を変化させ、分配皿上に形成される複数の散薬群の中に、量の異なる散薬群を混在させることを特徴とする請求項１２乃至１５のいずれかに記載の薬剤払出し方法。
【請求項１７】
複数の薬剤フィーダを使用し、
一つの薬剤フィーダから排出された散薬と、他の薬剤フィーダから排出された散薬とを分配皿の同じ箇所又は近接した箇所に供給し、一つの薬剤フィーダから排出された散薬と、他の薬剤フィーダから排出された散薬とを一つの混合散薬群とし、まとめて掻出装置で掻き出すことを特徴とする請求項１２乃至１６のいずれかに記載の薬剤払出し方法。
【請求項１８】
薬剤フィーダから散薬を排出して分配皿の複数の箇所に散薬を配置し、その後に分配皿を逆回転し、先に配置された散薬の近傍に先に排出に使用した薬剤フィーダと異なる薬剤フィーダを相対的に近接し、近接した薬剤フィーダから散薬を排出することを特徴とする請求項１７に記載の薬剤払出し方法。
【請求項１９】
駆動させる薬剤フィーダと、薬剤フィーダから排出される散薬の量を個別に変更し、混合状態が異なる混合薬剤群を作ることを特徴とする請求項１７又は１８に記載の薬剤払出し方法。
【発明の詳細な説明】
【技術分野】
【０００１】
本発明は、薬剤払出し装置に関するものであり、特に散薬を分配する分配皿を備えた薬剤払出し装置に関するものである。また本発明は、薬剤を払い出す方法に関するものである。
【背景技術】
【０００２】
近年、大病院や、大規模の薬局では、散薬分包装置や散薬分包機能を備えた薬剤払出し装置が導入されている。ここで散薬分包装置とは、処方情報に基づいて散薬を一服用分ずつ個別に包装する装置である。散薬分包装置を使用すれば、散薬を一服用分ずつ包装する作業の大半を自動化することができる。
特許文献１に開示された散薬分包装置９００は、散薬を一服用分ずつ個別に包装する装置であり、図１４の様に、内部に粉体フィーダ９０１と、散薬分配装置９０２と、薬剤包装装置９０３とを有している。
粉体フィーダ９０１は、ホッパー９０５及びトラフ９１０を有している。トラフ９１０の下には図示しない圧電素子が設けられており、トラフ９１０を振動させることができる。
【０００３】
散薬分配装置９０２は、図１４の様に、分配皿９１２と、掻出装置９１５によって構成されている。分配皿９１２は、中央に大きな開口を有している。また分配皿９１２は、前記した開口の周囲を、断面が円弧状であって、平面視が環状の溝９１６が取り巻いている。分配皿９１２は、モータ９１９によって回転可能である。分配皿９１２は、一定の回転速度で連続して回転させることもできるし、一定の回転角度に限定して回動させることもできる。
掻出装置９１５は、回動させることによって先端が昇降する昇降アームと、掻出機構とによって構成されている。
掻出機構９１５は、モータによって回転するディスク状の掻寄板９１７を有し、当該掻寄板９１７に掻出板９１８が設けられたものである。
【０００４】
薬剤包装装置９０３は、図１４の様に包装用ホッパー９２０と、包装装置９２１によって構成されている。
【０００５】
次に、散薬分包装置９００を使用して散薬を分包する場合の手順について説明する。
散薬を分包する作業は、医師の処方箋に従い、薬剤師が散薬分包装置９００を操作して行う。即ち薬剤師は、医師の処方箋を確認し、図示しない薬棚から、処方された散薬が入った薬瓶を取り出す。そして天秤等の秤を使用して処方された特定の散薬の総重量を量り出す。例えば一服用分が３ｇであり、朝、昼、夜と一日３回服用し、７日間服用するのであれば、６３ｇの散薬を量り出す。
そして量り出された散薬が、粉体フィーダ９０１のホッパー９０５に投入される。
また同時に、粉体フィーダ９０１の圧電素子（図示せず）に通電してトラフ９１０を振動させ、さらに、分配皿９１２を一定の回転速度で連続的に回転させる。
ホッパー９０５に投入された散薬は、ホッパー９０５の下端の開口から粉体フィーダ９０１のトラフ９１０に落ちる。そしてトラフ９１０が振動することによって、散薬は、ゆっくりと先端側に移動し、分配皿９１２に落下する。
【０００６】
一方、分配皿９１２は、所定の速度で連続的に回転しているので、トラフ９１０から落下する散薬は、分配皿９１２の溝９１６に均等に分散される。
【０００７】
分配皿９１２に対する散薬の落下が終了すると、分配皿９１２の回転を停止する。そしてその後に、掻出装置９１５の掻寄板９１７を分配皿９１２の溝９１６内に落とす。さらにその後、分配皿９１２を分配個数に応じた角度だけ回転させ、一服用分の散薬を掻寄板９１７の前面側に集める。そして掻寄板９１７を回転し、掻出板９１８によって散薬を分配皿９１２の外に掻き出して、包装用ホッパー９２０に投入する。包装用ホッパー９２０から落下した散薬は、包装装置９２１で包装される。
【０００８】
また特許文献２には、服用時期によって散薬の処方量が異なる様に入力するこができ、一包みの包装に含まれる散薬の量に変化を付ける方法が開示されている。
特許文献２に開示された方法は、分配皿９１２を回転して、一服用分の散薬を掻寄板９１７の前面側に集める際、分配皿９１２の回転量（回転角度）を処方された量に応じて異ならせ、掻寄板９１７の前面側に集まる散薬量に変化を付けるものである。
特許文献２に開示された方法によると、朝服用分１．２グラム、昼服用分１．２グラム、夜服用分２．４グラムという様な不均等処方に対応して散薬を包装することができる。
【先行技術文献】
【特許文献】
【０００９】
【特許文献１】特開平７−８００４３号公報
【特許文献２】特開２００４−３０５７２１号公報
【発明の概要】
【発明が解決しようとする課題】
【００１０】
従来技術の散薬分包装置９００は、散薬を多数に小分けして包装する場合に威力を発揮する。また一回の服用量が多い場合に好適に使用される。
しかしながら従来技術の散薬分包装置９００は、一服（一包み）の容量が少なく、且つ２服用分や、３服用分という様な包みの数が少ない場合の分包は得意ではない。
例えば、小児用に処方する薬剤は、一服用分の薬剤が１ｇ以下の場合が多く、０．３ｇという様な極少量の薬剤を飲ませる場合も珍しくはない。
また小児は、自身の病状を正確に医師に伝えることができないので、医師は適切な薬剤を選ぶことが難しい。そのため医師は、日々、処方する薬剤の種類や量を換え、小児患者の容態を観察して、適切な薬剤を選ぶ場合が多い。
この様な場合、医師は、一日毎に処方を変更することとなり、例えば朝、昼、夜と、３回服用する薬剤であるならば、３包分の処方を出す。そして薬剤師は、散薬分包装置９００を使用し、処方箋に従って３包の薬剤を準備する。
【００１１】
この様な場合は、分配皿９１２に投入する薬剤の総量が少ない。そのため、トラフ９１０から散薬を落下させ、散薬を分配皿９１２の溝９１６に均等に分散させたとき、溝９１６の底に浅く散薬が溜まるに過ぎない。
また散薬は、分配皿９１２の溝９１６の全周に均等に分散しているから、３回服用に分割するには、分配皿９１２を１／３周ずつ回転させて掻寄板９１７の前面に散薬を掻き寄せる必要があり、分配する際の分配皿９１２の回転角度が大きい。
【００１２】
この様に、溝９１６の底に散薬が浅く溜まっており、且つ掻き寄せる際の分配皿９１２の回転角度が大きい場合は、溝９１６の底にこびりつく薬剤の量が無視できない。
即ち、溝９１６の底にこびりつく薬剤の量は、溝９１６に溜まった薬剤の深さに係わらず一定である。従って一服用分の薬剤を分包する際における薬剤の損量は、掻き寄せる際の分配皿９１２の回転角度に依存し、掻き寄せる際の分配皿９１２の回転角度が大きい場合には、一服用分の薬剤の減少量が多い。
また前記した様に、一服用分の薬剤量が少ない場合は、溝９１６の底に残ってしまう薬剤の割合が相対的に高い。そのため一服用分の薬剤量が少ない場合は、一包内の内容量が処方量を下回ってしまう懸念がある。
【００１３】
また特許文献２に開示された方法によると、朝服用分１．２グラム、昼服用分１．２グラム、夜服用分２．４グラムという様な量的な不均等処方に対応して散薬を包装することができるが、質的な不均等処方を実施することはできない。即ち特許文献２に開示された方法では、朝服用分の包装には散薬Ｘ，Ｙ，Ｚが封入され、昼服用分には散薬Ｚだけが封入され、夜服用分には散薬Ｘ，Ｙが封入されるという様な質的に異なる３服用分の包装を作ることはできない。
【００１４】
そこで本発明は、従来技術の上記した問題点に注目し、一服（一包み）の内容量が少なく、且つ分割数が少ない場合であっても、一服用分の包みの中に、正確な量の薬剤を入れることができる薬剤払出し装置及び薬剤払出し方法を提供することを課題とするものである。
また本発明は、量的な不均等処方や、質的な不均等処方にも対応できる薬剤払出し装置及び薬剤払出し方法を提供することを課題とするものである。
【課題を解決するための手段】
【００１５】
上記した課題を解決するための態様は、散薬を排出する薬剤フィーダと、動力によって回転される分配皿と、分配皿に投入された散薬を掻き出す掻出装置と、薬剤包装装置とを有し、薬剤フィーダから分配皿に散薬を供給し、分配皿上の散薬を一服用分ずつ掻出装置で掻き出して薬剤包装装置に投入し、散薬を一服用分ずつ包装する薬剤払出し装置において、前記薬剤フィーダは、散薬の排出量を監視し所望の量の散薬を排出することが可能であり、薬剤フィーダから散薬を一服用分ずつ分配皿に供給し、その間分配皿を停止又は回転させて分配皿上に散薬を一服用分ずつ間隔を開けて配置する分散配置モードでの運転が可能であることを特徴とする薬剤払出し装置である。
【００１６】
本態様の薬剤払出し装置では、薬剤フィーダから散薬が一服用分ずつ分配皿に供給される。そしてその間、分配皿の回転を停止させるか、あるいは極小さな角速度で回転させる。そのため、散薬は、一点あるいは極狭い領域に、山の如くに積み上げられ、散薬群ができる。
なお散薬群は、一般に複数作られるが、散薬群を一つだけ作ってもよい。
その後、分配皿を回転させて掻出装置で散薬を掻き寄せ、さらに散薬は分配皿から掻き出されることとなるが、本態様の薬剤払出し装置では、薬剤を掻き寄せる際の分配皿の回転角度が小さく、分配皿の残留する薬剤の量が少ない。そのため一包みの中に、正確な量の薬剤が封入される。
【００１７】
分散配置モードにおいては、薬剤フィーダから散薬を分配皿に供給する際に分配皿の回転を停止し、薬剤フィーダから一服用分の散薬が分配皿に供給されると薬剤フィーダから分配皿に対する散薬の供給を一時的に停止し、その後に分配皿の回転を所定の角度だけ回転し、さらにその後に薬剤フィーダから分配皿に対する散薬の供給を再開し、この一連の動作を繰り返すことが望ましい。
【００１８】
前記薬剤フィーダは、薬剤容器と、本体装置によって構成され、前記薬剤容器は、本体装置に対して着脱自在であり、前記薬剤容器には薬剤を排出する薬剤排出部があり、本体装置は、振動台と、振動台を振動させる加振手段と、振動台に薬剤容器を一時的に固定する容器保持手段と、薬剤容器の重量を直接的または間接的に測定する重量測定手段とを有し、薬剤容器を振動台に載置し、容器保持手段で薬剤容器を振動台に固定し、振動台を振動させて薬剤排出部から散薬を少量ずつ排出し、重量測定手段によって散薬の排出量を検知することが可能であることが望ましい。
【００１９】
本態様の薬剤払出し装置では、本体装置に薬剤容器を固定する。この状態で振動台を振動させることによって、薬剤容器の全体または一部を振動させることができる。そのため薬剤容器内の薬剤はゆっくりと薬剤排出部側に移動し、薬剤は整流されて流れが層流化し、薬剤排出部から排出される。
また容器載置装置には、重量測定手段が装備されているから、薬剤の排出量を検知することができ、散薬等を量り出す作業を自動化することができる。
【００２０】
重量測定手段によって、薬剤を排出する以前の薬剤容器の重量たる原重量を測定し、薬剤容器から散薬を少量ずつ排出する際に前記重量測定手段によって薬剤容器の重量を監視し、薬剤容器の現在の重量たる現重量が、原重量から目標排出量を引いた値に一致した際あるいは略一致した際に薬剤容器からの散薬の排出を停止させる計量機能を備えたことが望ましい。
【００２１】
薬剤容器の重量の測定手段について付言すると、薬剤容器の重量の測定は直接的であるか間接的であるかを問わない。即ち薬剤容器の重量だけを直接測定しても良いし、振動台等の機器を含めた重量を測定してもよい。
本態様の薬剤払出し装置では、薬剤を排出する以前の薬剤容器の重量たる原重量と、薬剤容器の現在の重量たる現重量とを活用し、現重量が原重量から目標排出量を引いた値に一致した際に振動台の振動を停止させる。あるいは落下途中の薬剤の重量を勘案して、現重量が原重量から目標排出量を引いた値から僅かに少なく、略一致した際に振動台の振動を停止させる。そのため目標量の薬剤が排出された後に、振動台の振動が停止され、薬剤の排出が停止する。
【００２２】
薬剤払出し装置はその内部に、容器保管装置が設けられ、さらに容器移動手段が設けられ、容器移動手段によって容器保管装置から所定の薬剤容器を取り出して振動台に載置し、薬剤容器から散薬を排出させて分配皿に投入し、掻出装置によって分配皿に投入された散薬を掻き出して薬剤包装領域側に送り、薬剤包装装置によって薬剤を包装し、排出を終えた薬剤容器を容器移動手段によって容器保管装置に戻すことが可能であることが望ましい。
【００２３】
本態様によると、薬剤容器の選択、計量、分配、包装及び薬剤容器を元の位置に戻すまでの一連の作業を自動的に行うことができる。
【００２４】
また同様の作用効果を奏する態様は、動力によって回転される分配皿と、分配皿に投入された散薬を掻き出す掻出装置と、薬剤包装装置とを有し、分配皿に散薬を供給し、分配皿上の散薬を掻出装置で掻き出して薬剤包装装置に投入し、散薬を一服用分ずつ包装する薬剤払出し装置において、散薬を一服用分ずつ又は一服用分だけ分配皿に供給し、その間分配皿を停止又は回転させて分配皿上に一又は複数の散薬群を形成し、分配皿上であって前記散薬群の周方向両側には散薬が存在しない空間領域を形成させる分散配置モードでの運転が可能であり、掻出装置によって前記散薬群を掻き出して薬剤包装装置に投入することを特徴とする薬剤払出し装置である。
【００２５】
本態様の薬剤払出し装置においても、一点あるいは極狭い領域に、散薬を山の如くに積み上げられる。
その後、分配皿を回転させて掻出装置で散薬を掻き寄せ、さらに散薬は分配皿から掻き出されることとなるが、本態様の薬剤払出し装置では、薬剤を掻き寄せる際の分配皿の回転角度が小さく、分配皿の残留する薬剤の量が少ない。そのため一包みの中に、正確な量の薬剤が封入される。
【００２６】
分配皿を清掃する清掃装置を有し、分散配置モードでの運転が行われた後に清掃装置によって分配皿を清掃する際には、少なくとも散薬が存在していた部位または領域が清掃されることが望ましい。
【００２７】
本態様によると、分配皿が清掃されるので、薬剤のコンタミネーションが防止される。また分散配置モードでの運転が行われた後に行われる清掃は、散薬が存在していた部位または領域に重点をおいて行われることが望ましい。例えば、散薬が存在していた部位または領域だけを清掃したり、散薬が存在していた部位または領域にブラシ等が接する時間を他の領域に比べて長く設定する。
【００２８】
分散配置モードにおいては、分配皿に供給する一服用分の散薬の量を個別に変化させ、分配皿上に複数配置される一服用分の散薬群の中に、量の異なる散薬群を混在させることが可能であることが望ましい。
【００２９】
本態様は、量的な不均等処方に対応できる薬剤払出し装置である。
【００３０】
また複数の薬剤フィーダを有し、分散配置モードにおける動作の一つとして、混合モードがあり、混合モードにおいては、一つの薬剤フィーダから排出された散薬と、他の薬剤フィーダから排出された散薬とを分配皿の同じ箇所又は近接した箇所に供給し、一つの薬剤フィーダから排出された散薬と、他の薬剤フィーダから排出された散薬とを一つの混合薬剤群とし、まとめて掻出装置で掻き出すものであってもよい。
【００３１】
本態様によると、一包みの中に複数の散薬を混在させることができる。
【００３２】
混合モードにおいては、駆動させる薬剤フィーダと、薬剤フィーダから排出される散薬の量を個別に変更することが可能であり、混合状態が異なる混合薬剤群を作ることが可能であることが推奨される。
【００３３】
本態様によると、例えば、朝服用分、昼服用分、夜服用分という様に複数の時期に服用するべき薬剤があり、各時期に服用する薬剤の種類や量が異なる場合にも対応することができる。
【００３４】
混合モードにおいては、同時に複数の薬剤フィーダを動作させる同時排出動作を実行し、その後に分配皿を一定角度だけ回転して、先に排出された散薬の近傍に先に排出に使用した薬剤フィーダと異なる薬剤フィーダを相対的に近接し、近接した薬剤フィーダから散薬を排出することが可能であることが推奨される。
【００３５】
本態様によると、短時間で分包作業を終了することができる。
【００３６】
分配皿を逆回転することが可能であり、混合モードにおいては、薬剤フィーダから散薬を排出して分配皿の複数の箇所に散薬を配置し、その後に分配皿を逆回転し、先に配置された散薬の近傍に先に排出に使用した薬剤フィーダと異なる薬剤フィーダを相対的に近接し、近接した薬剤フィーダから散薬を排出することが可能であることが望ましい。
【００３７】
また薬剤払出し方法に関する態様は、散薬を排出する薬剤フィーダと、動力によって回転される分配皿と、分配皿に投入された散薬を掻き出す掻出装置と、薬剤包装装置を備えた薬剤払出し装置を使用して薬剤を払い出す薬剤払出し方法であって、散薬を一服用分ずつ分配皿に供給し、その間分配皿を停止又は回転させて分配皿上に散薬を一服用分ずつ間隔を開けて分散配置し、分散配置された散薬を一群ずつ掻出装置で掻き出して薬剤包装領域側に送り、薬剤包装装置によって薬剤を一服用分ずつ包装して排出することを特徴とする。
【００３８】
薬剤フィーダから散薬を分配皿に供給する際に分配皿の回転を停止するかあるいは極低速で回転し、薬剤フィーダから一服用分の散薬が分配皿に供給されると薬剤フィーダから分配皿に対する散薬の供給を一時的に停止し、その後に分配皿を所定の角度だけ回転し、さらにその後に薬剤フィーダから分配皿に対する散薬の供給を再開し、この一連の動作を繰り返すことが望ましい。
【００３９】
分配皿上には複数の散薬群が形成され、前記散薬群は、いずれも同一の患者が服用すべき散薬であってもよい。
【００４０】
本態様によると、投薬すべき患者を誤ることがない。
【００４１】
逆に分配皿上には複数の散薬群が形成され、当該散薬群には異なる患者が服用すべき散薬群が混在していてもよい。
【００４２】
本態様によると、薬剤を払出す効率が向上する。
【００４３】
薬剤フィーダから排出する一服用分の散薬の量を変化させ、分配皿上に形成される複数の散薬群の中に、量の異なる散薬群を混在させてもよい。
【００４４】
複数の薬剤フィーダを使用し、一つの薬剤フィーダから排出された散薬と、他の薬剤フィーダから排出された散薬とを分配皿の同じ箇所又は近接した箇所に供給し、一つの薬剤フィーダから排出された散薬と、他の薬剤フィーダから排出された散薬とを一つの混合散薬群とし、まとめて掻出装置で掻き出すことも推奨される。
【００４５】
薬剤フィーダから散薬を排出して分配皿の複数の箇所に散薬を配置し、その後に分配皿を逆回転し、先に配置された散薬の近傍に先に排出に使用した薬剤フィーダと異なる薬剤フィーダを相対的に近接し、近接した薬剤フィーダから散薬を排出することが望ましい。
【００４６】
駆動させる薬剤フィーダと、薬剤フィーダから排出される散薬の量を個別に変更し、混合状態が異なる混合薬剤群を作ってもよい。
【発明の効果】
【００４７】
本発明の薬剤払出し装置及び払出し方法によると、一服用分（一包み）の容量が少なく、分割数が少ない場合であっても、一服用分の包みの中に、正確な量の薬剤を入れることができる。
【図面の簡単な説明】
【００４８】
【図１】本発明の実施形態の薬剤払出し装置の内部を透視して示す斜視図である。
【図２】図１の薬剤払出し装置の作用を工程を追って説明する説明図であり、左側は分配皿の近傍の断面図であり、右側は分配皿の平面図である。
【図３】図２の工程に続く薬剤払出し装置の作用を工程を追って説明する説明図であり、左側は分配皿の近傍の断面図であり、右側は分配皿の平面図である。
【図４】図１の薬剤払出し装置の他の作用を工程を追って説明する説明図であり、左側は分配皿の近傍の断面図であり、右側はその断面図である。
【図５】薬剤フィーダの斜視図である。
【図６】薬剤容器の断面図である。
【図７】容器載置装置（本体装置）の斜視図である。
【図８】図７の容器載置装置（本体装置）の縦断面して観察した斜視図である。
【図９】図７の容器載置装置（本体装置）の縦断面して観察した側面図である。
【図１０】混合モードにおける図１の薬剤払出し装置の作用を工程を追って説明する説明図であり、上は分配皿の平面図であり、下は分配皿の特定のエリアに盛られた散薬の断面図である。
【図１１】混合モードの他の実施形態における図１の薬剤払出し装置の作用を工程を追って説明する説明図であり、上は分配皿の平面図であり、下は分配皿の特定のエリアに盛られた散薬の断面図である。
【図１２】混合モードのさらに他の実施形態における図１の薬剤払出し装置の作用を工程を追って説明する説明図であり、上は分配皿の平面図であり、下は分配皿の特定のエリアに盛られた散薬の断面図である。
【図１３】混合モードのさらに他の実施形態における図１の薬剤払出し装置の作用を工程を追って説明する説明図であり、上は分配皿の平面図であり、下は分配皿の特定のエリアに盛られた散薬の断面図である。
【図１４】従来技術の薬剤払出し装置の構成を説明する説明図である。
【発明を実施するための形態】
【００４９】
以下さらに本発明の実施形態の薬剤払出し装置１について説明する。
本実施形態の薬剤払出し装置１は、処方箋に記載された散薬が収容された薬剤容器２を選択し、これを搬送し、薬剤容器２から所望量の散薬を排出させ、一服用分ずつに分割し、一服用分ずつ包装することができる装置あり、これら一連の作業を自動的に行うことができる装置である。
【００５０】
本実施形態の薬剤払出し装置１は、図１の様に筐体７によって囲まれており、その内部は、薬剤棚部領域１００と、薬剤分割領域２００と、薬剤包装領域３００に分かれている。
【００５１】
薬剤棚部領域１００には、薬剤容器２を設置する容器保管装置１０１が設けられている。本実施形態では、容器保管装置１０１は、略水平方向に回転する縦型のドラム部材１０２を有し、ドラム部材１０２の外周面に複数の容器設置部１０３が設けられたものである。容器設置部１０３は、機械的な係合によって薬剤容器２を保持するものであり、薬剤容器２を押し込むことによって薬剤容器２が機械的係合によって保持され、薬剤容器２を引っ張ると係合が外れて薬剤容器２を離脱させることができる。
【００５２】
ドラム部材１０２は、モータによって回転し、所望の薬剤容器２が、後記するロボットハンドに近接され、ロボットハンドによって着脱される。
【００５３】
薬剤容器２は、後記する容器載置装置（本体装置）３とで一組の薬剤フィーダ５を構成するものである。
薬剤容器２には、図５，図６の様に、二面に鉄板が設けられている。一面に設けられた鉄板は、ロボットハンドに磁着させて薬剤容器２をロボットハンドに固定するための運搬用鉄板部１５７である。他の面に設けられた鉄板は、薬剤容器２を分配皿の近傍に設けられた容器載置装置３に薬剤容器２を固定するために使用される固定用鉄板部６である。
また薬剤容器２には、ＲＦＩＤ（Ｒａｄｉｏ  Ｆｒｅｑｕｅｎｃｙ  ＩＤｅｎｔｉｆｉｃａｔｉｏｎ）等の情報記録部材１５が取り付けられている。
薬剤容器２には、所望の散薬が充填されており、前記ＲＦＩＤ等の情報記録部材１５には、当該散薬の名称、有効期限、収納位置等の各種情報が記録されている。
【００５４】
図１の様に、薬剤棚部領域１００から薬剤分割領域２００に至る領域に、容器移動手段７００が設けられている。容器移動手段７００は、垂直方向に設けられた昇降機構７０１にロボット７０２が設けられたものである。ロボット７０２は、２本のアーム部材７０５，７０６と、ハンド部７０７とを有するものである。ハンド部７０７には、磁石が設けられており、薬剤容器２の鉄板を磁着して保持することができる。
【００５５】
薬剤分割領域２００は、２個の分配皿２０１が埋設状態に設置された領域であり、その周囲に容器載置装置３と、清掃装置５００が配置されたものである。本実施形態では、分配皿２０１の周囲に複数の容器載置装置３が配されている。より具体的には、分配皿２０１の周囲に容器載置装置３が３台ずつ設けられている。
また薬剤分割領域２００には、掻出装置６００が設けられている。掻出装置６００は、掻出用アーム６０５と、その先端に設けられた掻出機構６０６によって構成されている。掻出機構６０６は、公知のそれと同様であり、ディスク状の掻寄板６０９と、掻寄板６０９に設けられた掻出板６０７とによって構成されている。
本実施形態では、薬剤分割領域２００の各分配皿２０１から、掻出装置６００の掻出用アーム６０５が突出している。
分配皿２０１は、皿回転機構２１１（図２）によって一定速度で回転させることができる。また所定の角度だけ回転させることもできる。分配皿２０１は正方向にも逆方向にも回転させることができる。
【００５６】
容器載置装置３は、図７，８，９の様に、振動台２０と、薬剤容器２の重量を直接的または間接的に測定する重量測定手段２５とを有している。また図示しない落下確認センサーが設けられている。
振動台２０には、振動台２０に薬剤容器２を一時的に固定する容器保持手段が設けられている。容器保持手段は、具体的には磁石３０ａ，３０ｂである。振動台２０の両端には、加振手段２１が傾斜姿勢で取り付けられている。加振手段２１は、具体的には圧電素子である。落下確認センサーは、例えば光電センサーであり、薬剤容器２から薬剤が排出されているか否かを確認するためのセンサーである。
本実施形態では、容器載置装置３に薬剤容器２が載置され、振動台２０を振動させて薬剤容器２から薬剤を排出させることができる。またその時の薬剤容器２の重量変化が、重量測定手段２５によって検知される。
【００５７】
清掃装置５００は、分配皿２０１の近傍を基端として片持ち状に突出すると共に先端側が動力によって昇降する清掃用アームを有し、その先端に清掃ブラシ５０２が設けられたものである。
清掃ブラシ５０２は、ブラシカバー５０３内に回転可能に装着されている。ブラシカバー５０３は、先端側が開口するカバーであり、当該開口部から清掃ブラシ５０２の一部が露出する。
またブラシカバー５０３は、図示しない吸引装置に接続されている。
【００５８】
薬剤包装領域３００には、薬剤包装装置４１０が内蔵されている。薬剤包装装置４１０は、公知のそれと同様に、薬剤を一服用分ずつ包装する機械であり、公知の様に、分包紙供給装置、包装装置によって構成されている。また包装部に薬剤を投入する散薬投入ホッパー４１３（図２）が設けられている。
【００５９】
本実施形態の薬剤払出し装置１は、薬剤容器２を容器保管装置１０１に収容する動作と、処方箋に応じて薬剤容器２を選び出す動作と、容器保管装置１０１から薬剤容器２を取り出して分配皿２０１の近傍に移動させ、容器載置装置３に載置させる動作と、所定量の薬剤を分配皿２０１に投入する動作と、薬剤を分割して薬剤包装装置４１０に投入する動作と、薬剤容器２を容器保管装置１０１に戻す動作を自動的に行うことができる。
【００６０】
また本実施形態の薬剤払出し装置１は、薬剤を分配皿２０１に投入する際、従来技術と同様に散薬を分配皿２０１に均等に入れて分割する均等配置モードと、散薬を散点的に入れて分割する分散配置モードでの運転が可能である。
【００６１】
まず均等配置モードについて説明する。
前記した様に、本実施形態の薬剤払出し装置１では、多数の薬剤容器２を使用する。薬剤容器２の数は多数にのぼり、原則として各薬剤容器２に異なる種類の薬剤が充填される。薬剤容器２は、容器保管装置１０１に取り付けられて保管されている。
【００６２】
本実施形態の薬剤払出し装置１は、処方箋に応じて自動的に薬剤容器２を選び出す。具体的には、容器保管装置１０１のドラム部材１０２を回転し、所望の薬剤容器２を容器移動手段７００に近づける。そして容器移動手段７００のハンド部７０７で、薬剤容器２を保持する。そしてハンド部７０７に設けられた磁石によって薬剤容器２に設けられた運搬用鉄板部１５７を吸着させる。
そしてアーム部材７０５，７０６を後退させて薬剤容器２を抜き取り、アーム部材７０５，７０６を動作させて当該薬剤容器２を容器載置装置３の振動台２０に設置する。
なお複数の薬剤を配合して、一つの包装中に同封する場合には、複数の薬剤容器２が容器載置装置３に設置される。
そして振動台２０を振動させる。その結果、薬剤容器２の散薬が、ゆっくりと移動し、薬剤容器２から排出されて分配皿２０１に落下する。
また振動開始と前後して散薬分配装置２０２の分配皿２０１を回転させる。また振動開始と前後して、薬剤容器２の重量が測定される。その間、薬剤容器２の重量が監視され、散薬の総排出量が所望の重量となったところで、振動台２０の振動を停止する。
【００６３】
その後に分配皿２０１の回転を停止する。そして掻出用アーム６０５を揺動させ、先端側を降下させて掻出機構６０６を下げ、掻出機構６０６を分配皿２０１の薬剤投入溝２０８内に入れる。
そして分配皿２０１を分配個数に応じた角度だけ回転させて、掻寄板６０９にかき寄せる。その後、掻寄板６０９を回転し、掻出板６０７で薬剤をすくい上げて分配皿２０１から排出し、薬剤投入開口２４１に投入する。
薬剤投入開口２４１に投入された薬剤（散薬）は、散薬投入ホッパー４１３を落下して薬剤包装装置４１０に運ばれ、薬剤包装装置４１０で包装される。
この動作を順次繰り返し、分配皿２０１内の薬剤を全て排出し、それぞれ薬剤包装装置４１０で包装される。
【００６４】
分配皿２０１内の薬剤を全て排出し終えると、溝清掃動作が実行される。即ち清掃装置５００の清掃用アームを回動させて先端に設けられた清掃ブラシ５０２を降下させ、清掃ブラシ５０２を分配皿２０１の薬剤投入溝２０８内に入れる。
そして清掃ブラシ５０２を回転しつつ、分配皿２０１を回転させる。
その結果、分配皿２０１の薬剤投入溝２０８内に残っていた薬剤の残差が清掃ブラシ５０２で掻き落とされ、舞い上がっていた残差が吸引手段で吸引される。その結果、薬剤投入溝２０８内が清掃される。
均等配置モードによって運転された後に実施される溝清掃動作では、分配皿２０１の薬剤投入溝２０８が全周に渡って清掃される。
【００６５】
またこれと平行して、容器移動手段７００が起動され、薬剤容器２がドラム部材１０２の容器設置部１０３に戻される。
【００６６】
次に本実施形態に特有の動作たる分散配置モードについて、図２，３，４を参照しつつ説明する。分散配置モードは、分配皿２０１に対する薬剤の投入工程のみが相違するので、説明は、相違点に重点をおいて説明し、共通部分の説明は省略する。
分散配置モードで運転する場合には、薬剤容器２から分配皿２０１に散薬を落下させる際、分配皿２０１を回転させない。
即ち、図２（ｂ）の様に、分配皿２０１を静止させた状態で、薬剤容器２から分配皿２０１に散薬を排出する。より具体的には、薬剤容器２を容器載置装置３の振動台２０に設置し、振動台２０を振動させる。
また振動開始と前後して、薬剤容器２の重量が測定される。その間、薬剤容器２の重量が、監視され、散薬の総落下量が一服用分の重量となったところで、振動台２０の振動を停止する。
即ち前記した均等配置モードにおいては、複数服用分の合計量の散薬を薬剤容器２から一度に排出させるが、分散配置モードで運転する場合には、一服用分の散薬だけを分配皿２０１の薬剤投入溝２０８に落下させる。
ここで分配皿２０１は、静止した状態を保っているから、散薬の落下地点は変わらず、図２（ｂ）の様に薬剤投入溝２０８の一点に薬剤（散薬）２２が山の如くに積層する。
【００６７】
一服用分の薬剤を落下し終えると、振動台２０の振動を停止し、散薬の排出を中断する。
そして続いて分配皿２０１を僅かに回転させる。例えば、５度から３０度程度の角度だけ回転させる。即ち分配皿２０１を微小角度だけ回転させた後、分配皿２０１の回転を停止する。
その結果、先に積み上げられた散薬２２の山は、図２（ｃ）の様に周方向に移動し、薬剤容器２の真下には、分配皿２０１の新たな溝面が回り込んで来る。
そして図３（ｄ）の様に振動台２０の振動を再開させ、新たな分配皿２０１の新たな溝面に、一服用分の散薬２３だけを落下させる。
この場合においても、分配皿２０１は、静止した状態を保っているから、薬剤の落下地点は変わらず、一点に散薬２３が山の如くに積み上がる。
【００６８】
一服用分の薬剤を落下し終えると、振動台２０の振動を再度停止し、散薬の排出を中断すると共に分配皿２０１を僅かに回転させる。先に積み上げられた散薬２３の山は、周方向に移され薬剤容器２の真下に分配皿２０１の新たな溝面を回り込ませる。
以下、この工程を繰り返し、分配皿２０１の溝面に例えば３山の散薬（散薬群）２２，２３，２４を作る（図３ｅ）。
散薬群同士の間は、図の様に間隔があいている。そのため散薬群同士の間には、散薬が存在しない空間領域２６がある。散薬群を中心に見ると、散薬群の周方向両側には散薬が存在しない空間領域２６が形成されている。
【００６９】
所定の量の散薬群を作ったあとは、分配皿２０１を回転させて最初の散薬群（散薬２２）を掻出用アーム６０５近傍に回動させ、掻出用アーム６０５先端側を降下させて掻出機構６０６を下げ、掻出機構６０６を分配皿２０１の薬剤投入溝２０８内に入れる。
そして分配皿２０１を隣接する散薬群（散薬２３）に至らない範囲で回転させ、掻寄板６０９の前面で最初の散薬群（散薬２２）を掻き集める。
さらに掻寄板６０９を回転し、掻出板６０７で薬剤をすくい上げて分配皿２０１から排出し、散薬２２を薬剤投入開口２４１に投入する。
薬剤投入開口２４１に投入された散薬２２は、散薬投入ホッパー４１３を落下して薬剤包装装置４１０に運ばれ、薬剤包装装置４１０で包装される。
この動作を順次繰り返し、分配皿２０１内の薬剤を全て排出し、それぞれ薬剤包装装置４１０で包装される。
分散配置モードによると、掻寄板６０９によって薬剤を掻寄せる際における分配皿２０１の回転角度が小さいから、分配皿２０１にこびりつく薬剤量が少ない。また分配皿２０１の回転角度が小さいから、薬剤を掻き出すのに要する時間が短くて足る。
【００７０】
分配皿２０１内の薬剤を全て排出し終えると、溝清掃動作が実行される。ただし分散配置モードによって運転された後に実施される溝清掃動作では、分配皿２０１の薬剤投入溝２０８の一部だけが清掃される。
即ち分散配置モードによる場合は、分配皿２０１の薬剤投入溝２０８の一部の領域だけに散薬２２，２３，２４が投下される。例えば前記した実施形態では、分配皿２０１の溝面に３山の散薬群を作る（図３ｅ）。ここで散薬群が分布する領域は、溝の全周の４分の１程度であり、約９０度の領域である。そして分散配置モードによって運転された後に実施される溝清掃動作では、この約９０度の領域及びその近傍部分だけが清掃される。
そのため清掃に要する時間が大幅に短縮される。
【００７１】
またこれと平行して、容器移動手段７００が起動され、薬剤容器２がドラム部材１０２の容器設置部１０３に戻される。
【００７２】
以上説明した実施形態では、分散配置モードで運転する場合に、散薬群を３群作り、３服用分の分包を行ったが、分包の個数については、任意であり、一分包であってもよく、１０以上であってもよい。
【００７３】
また以上説明した実施形態では、分散配置モードで運転した後には、分配皿２０１の薬剤投入溝２０８の内、薬剤（散薬）が設置された領域に限って清掃を行った。即ち分散配置モードで運転した後における清掃工程を簡略化した。さらに簡略化させた方策として、散薬群が設けられていた部位だけを清掃してもよい。
もちろん分散配置モードで運転した後に、薬剤投入溝２０８を全周に渡って清掃してもよいが、散薬が設置された領域又は散薬が設置されていた部位を他の領域や部位に比べて入念に清掃することが推奨される。例えば、分配皿２０１の回転速度を調整して、散薬が設置された領域又は散薬が設置されていた部位に清掃装置５００の清掃ブラシ５０２が留まる時間を長くしたり、分配皿２０１を往復回転させて清掃装置５００の清掃ブラシ５０２が通過する回数を他の領域に比べて多くすることが考えられる。
【００７４】
また以上説明した実施形態は、同一患者に投与する散薬を分包することを前提に説明しており、各散薬群の薬剤量はいずれも同一である。
しかしながら本発明は、この使用方法に限定されるものではなく、複数人に投与する薬剤を同時に分包してもよい。
例えば、図４の様に、第１散薬群（散薬２７）は、３歳のＡ患者に処方されたものであり、０．３ｇの薬剤量である。これに対して第２散薬群（散薬２８）は、６歳のＢ患者に処方されたものであり、０．８ｇの薬剤量である。
複数の患者に対する処方を同時に行う場合は、下流側の薬剤包装装置４１０では、包装袋に、「Ａ患者用」、「Ｂ患者用」という様な患者名や服用時期を区別するような印字がなされ、薬剤師が投薬ミスを発生しない様に表示される。
【００７５】
また同一種類の薬剤が処方された処方箋を集め、一度に複数人の散薬を分包してもよい。
【００７６】
本実施形態の薬剤払出し装置１によって、量的な不均等処方に対応して散薬を包装することもできる。
この場合の様子は、図４と同様であるから、図４を併用して量的な不均等処方に対応する方法を説明する。
例えば、朝服用分１．２グラム、昼服用分２．４グラム、夜服用分１．２グラムという様な不均等処方に対応して散薬を包装する場合は、分配皿２０１を静止させた状態で、薬剤容器２から分配皿２０１に朝服用分１．２グラムの薬剤を排出する。より具体的には、薬剤容器２を容器載置装置３の振動台２０に設置し、振動台２０を振動させると共に薬剤容器２の重量を監視し、散薬の総落下量が朝服用分の１．２グラムとなったところで、振動台２０の振動を停止する。こうして作られた第１散薬群（散薬２７）は、朝服用分の薬剤である。
【００７７】
そして続いて分配皿２０１を僅かに回転させた後、分配皿２０１を停止し、薬剤容器２から分配皿２０１に昼服用分２．４グラムの薬剤を排出する。即ち振動台２０を振動させる時間等を異ならせ、薬剤容器２から分配皿に供給する一服用分の散薬の量を、服用時期ごとに個別に変化させる。こうして作られた第２散薬群（散薬２８）は、昼服用分の薬剤である。
同様の工程によって夜服用分の散薬群（図示せず）を作る。その結果、分配皿２０１には、量の異なる散薬群が混在することとなる。その後の工程は、前述の通りであり、散薬２７，２８を順次薬剤投入開口２４１に投入し、薬剤包装装置４１０で包装される。
下流側の薬剤包装装置４１０では、包装袋に、「朝服用」、「昼服用」という様な服用時期を区別するような印字がなされる。
【００７８】
上記した実施形態では、一服用分の包装の中に一種類の散薬を封入する場合を例にあげて説明したが、一服用分の包装の中に複数種類の散薬を同封してもよい。
一服用分の包装の中に複数種類の散薬を同封する場合には、混合モードによって薬剤払出し装置１が運転される。なお混合モードは、分散配置モードの一形態である。
以下、混合モードについて図１０乃至１３を参照しつつ説明する。
説明の便宜上、分配皿２０１を仮想的にＡエリア、Ｂエリア、Ｃエリアに区分する。また本実施形態では、容器載置装置３を３台使用し、各容器載置装置３に薬剤容器２を設置する。説明の便宜上、３個の薬剤容器２を薬剤容器２ｘ、２ｙ，２ｚとして区別する。各薬剤容器２ｘ、２ｙ，２ｚには異なる散薬が収容されている。理解を容易にするために、薬剤容器２ｘに収容された散薬Ｘを左上から右下に向かって傾斜する斜線で表示し、薬剤容器２ｙに収容された散薬Ｙを右上から左下に向かって傾斜する斜線で表示し、薬剤容器２ｚに収容された散薬Ｘを空白枠で表示する。
【００７９】
図１０は、朝服用分と、昼服用分と、夜服用分の一日分、３包を分包する例であり、各包装内における散薬Ｘの量は同じである。また各包装内における散薬Ｙの量も同じである。さらに各包装内における散薬Ｚの量も同じである。図示の便宜上、各包装内における散薬Ｘの量と散薬Ｙの量と散薬Ｚの量が同一であるかの様に示されているが、実際にはこれらの量は異なっている。
この場合には、図１０のステージ（１）の様に薬剤容器２ｚの真下の位置に分配皿２０１のＡエリアが来る様に分配皿２０１を回転し、この位置で分配皿２０１の回転を停止する。
そして分配皿２０１を静止させた状態で、薬剤容器２ｚから分配皿２０１に薬剤Ｚを排出する。より具体的には、薬剤容器２ｚを設置した容器載置装置３の振動台２０を振動させる。
また振動開始と前後して、薬剤容器２ｚの重量が測定される。その間、薬剤容器２ｚの重量が、監視され、散薬Ｚの総落下量が一服用分の重量となったところで、振動台２０の振動を停止する。
【００８０】
そして続いて分配皿２０１を僅かに回転させ、図１０のステージ（２）の様に薬剤容器２ｚの真下の位置に分配皿２０１のＢエリアがあり、薬剤容器２ｙの真下の位置に分配皿２０１のＡエリアがある状態で分配皿２０１の回転を停止する。
そして分配皿２０１を静止させた状態で、薬剤容器２ｙ及び薬剤容器２ｚから分配皿２０１に薬剤Ｚ、薬剤Ｙを排出する。
その結果、Ａエリアには先の工程で落下させた薬剤Ｚの上に、薬剤容器２ｙから落下した薬剤Ｙが積み上げられる。
また分配皿２０１のＢエリアには、薬剤容器２ｚから薬剤Ｚが落下する。
【００８１】
そして続いて分配皿２０１をさらに僅かに回転させ、図１０のステージ（３）の様に薬剤容器２ｚの真下の位置に分配皿２０１のＣエリアがあり、薬剤容器２ｙの真下の位置に分配皿２０１のＢエリアがあり、薬剤容器２ｘの真下の位置に分配皿２０１のＡエリアがある状態で分配皿２０１の回転を停止する。
そして分配皿２０１を静止させた状態で、薬剤容器２ｘ、薬剤容器２ｙ及び薬剤容器２ｚから分配皿２０１に薬剤Ｚ、薬剤Ｙ、薬剤Ｘを排出する。
その結果、Ａエリアには先の工程で落下させた薬剤Ｚ，Ｙの上に、さらに薬剤容器２ｘから落下した薬剤Ｘが積み上げられる。
またＢエリアには先の工程で落下させた薬剤Ｚの上に、薬剤容器２ｙから落下した薬剤Ｙが積み上げられる。
さらに分配皿２０１のＣエリアには、薬剤容器２ｚから薬剤Ｚが落下する。
【００８２】
そして続いて分配皿２０１をさらに僅かに回転させ、図１０のステージ（４）の様に薬剤容器２ｚの真下の位置には分配皿２０１のＡ，Ｂ，Ｃのいずれのエリアも無く、薬剤容器２ｙの真下の位置に分配皿２０１のＣエリアがあり、薬剤容器２ｘの真下の位置に分配皿２０１のＢエリアがある状態で分配皿２０１の回転を停止する。
またＡエリアは各薬剤容器２ｘから離れている。
そして分配皿２０１を静止させた状態で、薬剤容器２ｘ及び薬剤容器２ｙから分配皿２０１に薬剤Ｙ、薬剤Ｘを排出する。
その結果、Ｂエリアには先の工程で落下させた薬剤Ｚ，Ｙの上に、さらに薬剤容器２ｘから落下した薬剤Ｘが積み上げられる。
またＣエリアには先の工程で落下させた薬剤Ｚの上に、薬剤容器２ｙから落下した薬剤Ｙが積み上げられる。
【００８３】
そして続いて分配皿２０１をさらに僅かに回転させ、図１０のステージ（５）の様に薬剤容器２ｚ，２ｙの真下の位置には分配皿２０１のＡ，Ｂ，Ｃのいずれのエリアも無く、薬剤容器２ｘの真下の位置に分配皿２０１のＣエリアがある状態で分配皿２０１の回転を停止する。
またＡエリアとＢエリアは各薬剤容器２ｘから離れている。
そして分配皿２０１を静止させた状態で、薬剤容器２ｘから分配皿２０１に薬剤Ｘを排出する。
その結果、Ｃエリアには先の工程で落下させた薬剤Ｚ，Ｙの上に、さらに薬剤容器２ｘから落下した薬剤Ｘが積み上げられる。
こうして、分配皿２０１のＡエリア、Ｂエリア、Ｃエリアにそれぞれ散薬Ｘ，Ｙ，Ｚが積み重ねられた混合薬剤群３１，３２，３３が形成される。
後の工程は、前記した通常の分散配置モードの動作と同一であり、分配皿２０１を回転させて最初の混合薬剤群３１，３２，３３を一つずつを掻き集め、掻寄板６０９を回転し、掻出板６０７で薬剤をすくい上げて分配皿２０１から排出し、各薬剤群を薬剤投入開口２４１に投入し、薬剤包装装置４１０で包装する。
【００８４】
以上説明した実施形態では、各包装に散薬Ｘ，Ｙ，Ｚを同じ量だけ封入する場合を示したが、包装の内容を個別に変化させることもできる。即ち本実施形態の薬剤払出し装置１によって、質的な不均等処方に対応して散薬を包装することもできる。
例えば、朝服用分の包装には散薬Ｘ，Ｙ，Ｚが封入され、昼服用分には散薬Ｚだけが封入され、夜服用分には散薬Ｘ，Ｙが封入された３服用分の包装を造ることもできる。
例えばＡエリアを朝服用分とし、Ｂエリアを昼服用分とし、Ｃエリアを夜服用分として混合薬剤群３５，３６，３７を作る。
この場合は、図１１の様にステージ（３）で、薬剤容器２ｙ，２ｚからの薬剤落下を省略し、Ｂエリア（昼服用分）に薬剤Ｙが落下するのを防止し、またＣエリア（夜服用分）に薬剤Ｚが落下するのを防止する。またステージ（４）で、薬剤容器２ｘからの薬剤落下を省略し、Ｂエリア（昼服用分）に薬剤Ｘが落下するのを防止する。
その結果、Ａエリアには散薬Ｘ，Ｙ，Ｚを含む混合薬剤群３５が形成され、Ｂエリアには散薬Ｚのみの薬剤群３６が形成される。またＣエリアには散薬Ｘ，Ｙの混合薬剤群３７が形成される。
後の工程は、前記した通常の分散配置モードの動作と同一である。
【００８５】
また包装に内蔵される薬剤の量を個別に変更することも可能である。
例えば、一日の服用分中には、いずれも散薬Ｘ，Ｙ，Ｚ封入されているが、昼服用分には、他に比べて散薬Ｙの処方量が多いといった分包を行うこともできる。即ち複数種類の散薬を同封し、さらに量的な不均等処方に対応して散薬を包装することもできる。
この場合は、図１２の様にステージ（３）で、薬剤容器２ｙからの薬剤落下量を多くする。その結果、分配皿２０１のＡエリア、Ｂエリア、Ｃエリアにそれぞれ散薬Ｘ，Ｙ，Ｚが積み重ねられた混合薬剤群４５，４６，４７が形成されるが、Ｂエリアは他のエリアに比べて散薬Ｙの量が多く積み重ねられる。
後の工程は、前記した通常の分散配置モードの動作と同一である。
【００８６】
図１０乃至図１２に示した例は、いずれも分配皿２０１を同一方向に回転させて分包を行う方法を開示したが、分配皿２０１を正逆両方に回転させて混合薬剤群を形成させてもよい。
図１３は、分配皿２０１を正逆両方に回転させて混合薬剤群を形成させる場合の実施形態を示している。
この場合は、図１３のステージ（１）で、薬剤容器２ｘの真下の位置に分配皿２０１のＡエリアがあり、薬剤容器２ｙの真下の位置に分配皿２０１のＢエリアがあり、薬剤容器２ｚの真下の位置に分配皿２０１のＣエリアがある状態とする。
そして各薬剤容器２ｘ，２ｙ，２ｚから同時に散薬を落下させる。その結果、Ａエリアには、散薬Ｘが落下し、Ｂエリアには散薬Ｙが落下し、Ｃエリアには散薬Ｚが落下する。
【００８７】
そして続いて分配皿２０１を僅かに正方向に回転させ、図１３のステージ（２）の様に薬剤容器２ｘの真下の位置に分配皿２０１のＢエリアがあり、薬剤容器２ｙの真下の位置に分配皿２０１のＣエリアがあり、薬剤容器２ｚの真下の位置にはいずれのエリアも無い状態とする。
そして各薬剤容器２ｘ，２ｙから同時に散薬を落下させる。その結果、Ｂエリアには、先の工程で落下させた薬剤Ｙの上に、薬剤容器２ｘから落下した薬剤Ｘが積み上げられる。またＣエリアには、先の工程で落下させた薬剤ｚの上に、薬剤容器２ｙから落下した薬剤Ｙが積み上げられる。
【００８８】
そして続いて分配皿２０１をさらに僅かに正方向に回転させ、図１３のステージ（３）の様に薬剤容器２ｘの真下の位置に分配皿２０１のＣエリアがある状態とする。
そして薬剤容器２ｘから散薬を落下させる。その結果、Ｃエリアには、先の工程で落下させた薬剤Ｚ，Ｙの上に薬剤容器２ｘから落下した薬剤Ｘが積み上げられる。
【００８９】
そして続いて分配皿２０１をやや大きく逆方向に回転させ、図１３のステージ（４）の様に、薬剤容器２ｙの真下の位置に分配皿２０１のＡエリアがあり、薬剤容器２ｚの真下の位置に分配皿２０１のＢエリアがある状態で分配皿２０１の回転を停止する。
そして分配皿２０１を静止させた状態で、薬剤容器２ｙ及び薬剤容器２ｚから分配皿２０１に薬剤Ｙ，Ｚを排出する。
その結果、Ｂエリアには、先の工程で落下させた薬剤Ｙ，Ｘの上に、薬剤容器２ｚから落下した薬剤Ｚが積み上げられる。またＡエリアには、先の工程で落下させた薬剤Ｘの上に薬剤容器２ｙから落下した薬剤Ｙが積み重ねられる。
【００９０】
そして続いて分配皿２０１をさらに僅かに逆方向に回転させ、図１３のステージ（５）の様に薬剤容器２ｚの真下の位置に分配皿２０１のＡエリアがある状態で分配皿２０１の回転を停止する。
そして分配皿２０１を静止させた状態で、薬剤容器２ｚから分配皿２０１に薬剤Ｚを排出する。
その結果、Ａエリアには、先の工程で落下させた薬剤Ｘ，Ｙに薬剤容器２ｚから落下した薬剤Ｚが積み重ねられる。
こうして、分配皿２０１のＡエリア、Ｂエリア、Ｃエリアにそれぞれ散薬Ｘ，Ｙ，Ｚが積み重ねられた混合薬剤群５５，５６，５７が形成される。
後の工程は、前記した通常の分散配置モードの動作と同一である。
【００９１】
以上説明した実施形態においても、混合散薬群を３群作り、３服用分の分包を行ったが、分包の個数については、任意であり、一分包であってもよく、１０以上であってもよい。
また以上説明した実施形態においては、同一のエリア内においては、先に落下させた薬剤の上に新たに落下させた薬剤を積み重ねたが、薬剤を積み重ねることは必須ではなく、近い領域にまとめて落下させればよい。
即ち分散配置モード（混合モードを含む）においては、分配皿２０１を回転し、掻寄板６０９によって薬剤を掻寄せる工程を有しているから、複数種類の薬剤が近い領域にまとまってさえいれば、複数の薬剤を掻き寄せて、まとめて掻き出すことができる。
【００９２】
上記した実施形態では、容器載置装置３と薬剤容器２によって一組の薬剤フィーダ５が構成され、散薬落下量を監視する構成が採用されている。しかしながら本発明は、この構成に限定されるものではなく、例えば従来技術として示した様な、トラフ９１０の下に図示しない圧電素子が設けられて、トラフ９１０を振動させる構造の粉体フィーダ９０６を使用することもできる。
この場合には、薬剤師が所定量の散薬を量り出し、この散薬をホッパー９０５に投入して分配皿９１２内に落下させることとなる。
【００９３】
また本発明のさらに解決すべき課題として、分散配置モードで運転する場合に、薬剤の落下量が不安定になる懸念が挙げられる。
即ち本発明では、分散配置モードで運転する場合に、容器載置装置３を振動させて薬剤容器２から薬剤を排出させ、所定量の排出を終えると容器載置装置３の振動を停止し、さらに一定時間が経過した後に容器載置装置３を振動させて薬剤容器２から薬剤を排出させる。
ここで薬剤容器２内の薬剤の挙動について考察すると、薬剤容器２は、縦姿勢で保管されているから、内部の薬剤は、縦姿勢を基準として底の部位に集まっており、薬剤排出口からは遠い。
そして容器載置装置３が振動を開始すると、図６の様に内部の薬剤は、ゆっくりと薬剤排出口に向かって前進し、遂には薬剤排出部８から落下する。そして薬剤は前進する際に層状に慣らされる。
ところが、二回目の排出の際には、薬剤の先頭部分は、既に薬剤排出部８に至っている。そのため一回目の排出と二回目以降の排出は排出条件が相違することとなる。
【００９４】
この問題を解決する手段として、二回目以降の排出を開始する際に、振動パターンを換えて容器載置装置３を動作させ、薬剤を一旦、底の部位に移動させることが考えられる。
また二回目以降の排出を開始する際に、容器移動手段７００のハンド部７０７で、薬剤容器２を保持して一旦縦姿勢にしたり、或いは薬剤排出部８を上にして傾斜させ、その後に薬剤容器２を再装着してもよい。この工程を経ることにより、薬剤の先頭部分が後退し、二回目以降も同じ排出条件で薬剤を排出させることができ、精度の高い分散配置を実現することができる。
【００９５】
上記した実施形態では、分散配置モードにおいて薬剤容器２から分配皿２０１に対して薬剤の投入する際、分配皿２０１の回転を停止して行ったが、分配皿２０１を低速で回転させつつ薬剤を投入してもよい。
【符号の説明】
【００９６】
１：薬剤払出し装置、２：薬剤容器、３：容器載置装置（本体装置）、５：薬剤フィーダ、８：薬剤排出部、２０：振動台、２１：加振手段、２２，２３，２４：散薬（散薬群）、２５：重量測定手段、３０ａ，３０ｂ：磁石（容器保持手段）、３１，３２，３３：混合薬剤群、３５，３６，３７：混合薬剤群、４５，４６，４７：混合薬剤群、５５，５６，５７：混合薬剤群、１０１：容器保管装置、２０１：分配皿、３００：薬剤包装領域、４１０：薬剤包装装置、６００：掻出装置、７００：容器移動手段、
【図１】
2019103874.tif 000003
【図２】
2019103874.tif 000004
【図３】
2019103874.tif 000005
【図４】
2019103874.tif 000006
【図５】
2019103874.tif 000007
【図６】
2019103874.tif 000008
【図７】
2019103874.tif 000009
【図８】
2019103874.tif 000010
【図９】
2019103874.tif 000011
【図１０】
2019103874.tif 000012
【図１１】
2019103874.tif 000013
【図１２】
2019103874.tif 000014
【図１３】
2019103874.tif 000015
【図１４】
2019103874.tif 000016
【手続補正書】
【提出日】平成31年4月23日(2019.4.23)
【手続補正１】
【補正対象書類名】特許請求の範囲
【補正対象項目名】全文
【補正方法】変更
【補正の内容】
【特許請求の範囲】
【請求項１】
散薬を排出する薬剤フィーダと、動力によって回転される分配皿と、分配皿に投入された散薬を掻き出す掻出装置と、薬剤包装装置とを有し、薬剤フィーダから分配皿に散薬を供給し、分配皿上の散薬を一服用分ずつ掻出装置で掻き出して薬剤包装装置に投入し、散薬を一服用分ずつ包装する薬剤払出し装置において、
前記薬剤フィーダは、散薬の排出量を監視し所望の量の散薬を排出することが可能であり、薬剤フィーダから散薬を一服用だけ分配皿に供給し、薬剤フィーダから一服用分の散薬が分配皿に供給されると薬剤フィーダから分配皿に対する散薬の供給を一時的に停止する運転が可能であることを特徴とする薬剤払出し装置。
【請求項２】
薬剤フィーダからの散薬の供給を一時的に停止し、その後に薬剤フィーダから分配皿に対する散薬の供給を再開し、この一連の動作を繰り返すことを特徴とする請求項１に記載の薬剤払出し装置。
【請求項３】
前記薬剤フィーダは、薬剤容器と、本体装置によって構成され、
前記薬剤容器は、本体装置に対して着脱自在であり、前記薬剤容器には薬剤を排出する薬剤排出部があり、
本体装置は、振動台と、振動台を振動させる加振手段と、振動台に薬剤容器を一時的に固定する容器保持手段と、薬剤容器の重量を直接的または間接的に測定する重量測定手段とを有し、
薬剤容器を振動台に載置し、容器保持手段で薬剤容器を振動台に固定し、振動台を振動させて薬剤排出部から散薬を少量ずつ排出し、重量測定手段によって散薬の排出量を検知することが可能であることを特徴とする請求項１又は２に記載の薬剤払出し装置。
【請求項４】
薬剤払出し装置はその内部に、容器保管装置が設けられ、
さらに容器移動手段が設けられ、容器移動手段によって容器保管装置から所定の薬剤容器を取り出して振動台に載置し、薬剤容器から散薬を排出させて分配皿に投入し、掻出装置によって分配皿に投入された散薬を掻き出して薬剤包装領域側に送り、薬剤包装装置によって薬剤を包装し、
排出を終えた薬剤容器を容器移動手段によって容器保管装置に戻すことが可能であることを特徴とする請求項３に記載の薬剤払出し装置。
【請求項５】
動力によって回転される分配皿と、分配皿に投入された散薬を掻き出す掻出装置と、薬剤包装装置とを有し、分配皿に散薬を供給し、分配皿上の散薬を掻出装置で掻き出して薬剤包装装置に投入し、散薬を一服用分ずつ包装する薬剤払出し装置において、
散薬を一服用分ずつ又は一服用分だけ分配皿に供給し、その間分配皿を停止又は回転させて分配皿上に一又は複数の散薬群を形成し、
掻出装置によって前記散薬群を掻き出して薬剤包装装置に投入することを特徴とする薬剤払出し装置。
【請求項６】
分配皿を清掃する清掃装置を有し、分配皿を清掃する際には、少なくとも散薬が存在していた部位または領域が清掃されることを特徴とする請求項１乃至５のいずれかに記載の薬剤払出し装置。
【請求項７】
分配皿に供給する一服用分の散薬の量を個別に変化させ、分配皿上に複数配置される一服用分の散薬群の中に、量の異なる散薬群を混在させることが可能であることを特徴とする請求項１乃至６のいずれかに記載の薬剤払出し装置。
【請求項８】
複数の薬剤フィーダを有し、
動作の一つとして、混合モードがあり、混合モードにおいては、一つの薬剤フィーダから排出された散薬と、他の薬剤フィーダから排出された散薬とを分配皿の同じ箇所又は近接した箇所に供給し、一つの薬剤フィーダから排出された散薬と、他の薬剤フィーダから排出された散薬とを一つの混合薬剤群とし、まとめて掻出装置で掻き出すことを特徴とする請求項１乃至７のいずれかに記載の薬剤払出し装置。
【請求項９】
混合モードにおいては、駆動させる薬剤フィーダと、薬剤フィーダから排出される散薬の量を個別に変更することが可能であり、混合状態が異なる混合薬剤群を作ることが可能であることを特徴とする請求項８に記載の薬剤払出し装置。
【請求項１０】
混合モードにおいては、同時に複数の薬剤フィーダを動作させる同時排出動作を実行し、その後に分配皿を一定角度だけ回転して、先に排出された散薬の近傍に先に排出に使用した薬剤フィーダと異なる薬剤フィーダを相対的に近接し、近接した薬剤フィーダから散薬を排出することが可能であることを特徴とする請求項８又は９に記載の薬剤払出し装置。
【請求項１１】
分配皿を逆回転することが可能であり、混合モードにおいては、薬剤フィーダから散薬を排出して分配皿の複数の箇所に散薬を配置し、その後に分配皿を逆回転し、先に配置された散薬の近傍に先に排出に使用した薬剤フィーダと異なる薬剤フィーダを相対的に近接し、近接した薬剤フィーダから散薬を排出することが可能であることを特徴とする請求項８乃至１０のいずれかに記載の薬剤払出し装置。
【請求項１２】
散薬を排出する薬剤フィーダと、動力によって回転される分配皿と、分配皿に投入された散薬を掻き出す掻出装置と、薬剤包装装置を備えた薬剤払出し装置を使用して薬剤を払い出す薬剤払出し方法であって、
散薬を一服用分ずつ分配皿に供給し、その間分配皿を停止又は回転させて分配皿上に散薬群を一服用分ずつ配置し、分散配置された散薬群を一群ずつ掻出装置で掻き出して薬剤包装領域側に送り、薬剤包装装置によって薬剤を一服用分ずつ包装して排出することを特徴とする薬剤払出し方法。
【請求項１３】
薬剤フィーダから散薬を分配皿に供給する際に分配皿の回転を停止するかあるいは極低速で回転し、薬剤フィーダから一服用分の散薬が分配皿に供給されると薬剤フィーダから分配皿に対する散薬の供給を一時的に停止し、その後に分配皿を所定の角度だけ回転し、さらにその後に薬剤フィーダから分配皿に対する散薬の供給を再開し、この一連の動作を繰り返すことを特徴とする請求項１２に記載の薬剤払出し方法。
【請求項１４】
分配皿上には複数の散薬群が形成され、前記散薬群は、いずれも同一の患者が服用すべき散薬であることを特徴とする請求項１２又は１３に記載の薬剤払出し方法。
【請求項１５】
分配皿上には複数の散薬群が形成され、当該散薬群には異なる患者が服用すべき散薬群が混在することを特徴とする請求項１２又は１３に記載の薬剤払出し方法。
【請求項１６】
薬剤フィーダから排出する一服用分の散薬の量を変化させ、分配皿上に形成される複数の散薬群の中に、量の異なる散薬群を混在させることを特徴とする請求項１２乃至１５のいずれかに記載の薬剤払出し方法。
【請求項１７】
複数の薬剤フィーダを使用し、
一つの薬剤フィーダから排出された散薬と、他の薬剤フィーダから排出された散薬とを分配皿の同じ箇所又は近接した箇所に供給し、一つの薬剤フィーダから排出された散薬と、他の薬剤フィーダから排出された散薬とを一つの混合散薬群とし、まとめて掻出装置で掻き出すことを特徴とする請求項１２乃至１６のいずれかに記載の薬剤払出し方法。
【請求項１８】
薬剤フィーダから散薬を排出して分配皿の複数の箇所に散薬を配置し、その後に分配皿を逆回転し、先に配置された散薬の近傍に先に排出に使用した薬剤フィーダと異なる薬剤フィーダを相対的に近接し、近接した薬剤フィーダから散薬を排出することを特徴とする請求項１７に記載の薬剤払出し方法。
【請求項１９】
駆動させる薬剤フィーダと、薬剤フィーダから排出される散薬の量を個別に変更し、混合状態が異なる混合薬剤群を作ることを特徴とする請求項１７又は１８に記載の薬剤払出し方法。
【手続補正２】
【補正対象書類名】明細書
【補正対象項目名】全文
【補正方法】変更
【補正の内容】
【発明の詳細な説明】
【技術分野】
【０００１】
本発明は、薬剤払出し装置に関するものであり、特に散薬を分配する分配皿を備えた薬剤払出し装置に関するものである。また本発明は、薬剤を払い出す方法に関するものである。
【背景技術】
【０００２】
近年、大病院や、大規模の薬局では、散薬分包装置や散薬分包機能を備えた薬剤払出し装置が導入されている。ここで散薬分包装置とは、処方情報に基づいて散薬を一服用分ずつ個別に包装する装置である。散薬分包装置を使用すれば、散薬を一服用分ずつ包装する作業の大半を自動化することができる。
特許文献１に開示された散薬分包装置９００は、散薬を一服用分ずつ個別に包装する装置であり、図１４の様に、内部に粉体フィーダ９０１と、散薬分配装置９０２と、薬剤包装装置９０３とを有している。
粉体フィーダ９０１は、ホッパー９０５及びトラフ９１０を有している。トラフ９１０の下には図示しない圧電素子が設けられており、トラフ９１０を振動させることができる。
【０００３】
散薬分配装置９０２は、図１４の様に、分配皿９１２と、掻出装置９１５によって構成されている。分配皿９１２は、中央に大きな開口を有している。また分配皿９１２は、前記した開口の周囲を、断面が円弧状であって、平面視が環状の溝９１６が取り巻いている。分配皿９１２は、モータ９１９によって回転可能である。分配皿９１２は、一定の回転速度で連続して回転させることもできるし、一定の回転角度に限定して回動させることもできる。
掻出装置９１５は、回動させることによって先端が昇降する昇降アームと、掻出機構とによって構成されている。
掻出機構９１５は、モータによって回転するディスク状の掻寄板９１７を有し、当該掻寄板９１７に掻出板９１８が設けられたものである。
【０００４】
薬剤包装装置９０３は、図１４の様に包装用ホッパー９２０と、包装装置９２１によって構成されている。
【０００５】
次に、散薬分包装置９００を使用して散薬を分包する場合の手順について説明する。
散薬を分包する作業は、医師の処方箋に従い、薬剤師が散薬分包装置９００を操作して行う。即ち薬剤師は、医師の処方箋を確認し、図示しない薬棚から、処方された散薬が入った薬瓶を取り出す。そして天秤等の秤を使用して処方された特定の散薬の総重量を量り出す。例えば一服用分が３ｇであり、朝、昼、夜と一日３回服用し、７日間服用するのであれば、６３ｇの散薬を量り出す。
そして量り出された散薬が、粉体フィーダ９０１のホッパー９０５に投入される。
また同時に、粉体フィーダ９０１の圧電素子（図示せず）に通電してトラフ９１０を振動させ、さらに、分配皿９１２を一定の回転速度で連続的に回転させる。
ホッパー９０５に投入された散薬は、ホッパー９０５の下端の開口から粉体フィーダ９０１のトラフ９１０に落ちる。そしてトラフ９１０が振動することによって、散薬は、ゆっくりと先端側に移動し、分配皿９１２に落下する。
【０００６】
一方、分配皿９１２は、所定の速度で連続的に回転しているので、トラフ９１０から落下する散薬は、分配皿９１２の溝９１６に均等に分散される。
【０００７】
分配皿９１２に対する散薬の落下が終了すると、分配皿９１２の回転を停止する。そしてその後に、掻出装置９１５の掻寄板９１７を分配皿９１２の溝９１６内に落とす。さらにその後、分配皿９１２を分配個数に応じた角度だけ回転させ、一服用分の散薬を掻寄板９１７の前面側に集める。そして掻寄板９１７を回転し、掻出板９１８によって散薬を分配皿９１２の外に掻き出して、包装用ホッパー９２０に投入する。包装用ホッパー９２０から落下した散薬は、包装装置９２１で包装される。
【０００８】
また特許文献２には、服用時期によって散薬の処方量が異なる様に入力するこができ、一包みの包装に含まれる散薬の量に変化を付ける方法が開示されている。
特許文献２に開示された方法は、分配皿９１２を回転して、一服用分の散薬を掻寄板９１７の前面側に集める際、分配皿９１２の回転量（回転角度）を処方された量に応じて異ならせ、掻寄板９１７の前面側に集まる散薬量に変化を付けるものである。
特許文献２に開示された方法によると、朝服用分１．２グラム、昼服用分１．２グラム、夜服用分２．４グラムという様な不均等処方に対応して散薬を包装することができる。
【先行技術文献】
【特許文献】
【０００９】
【特許文献１】特開平７−８００４３号公報
【特許文献２】特開２００４−３０５７２１号公報
【発明の概要】
【発明が解決しようとする課題】
【００１０】
従来技術の散薬分包装置９００は、散薬を多数に小分けして包装する場合に威力を発揮する。また一回の服用量が多い場合に好適に使用される。
しかしながら従来技術の散薬分包装置９００は、一服（一包み）の容量が少なく、且つ２服用分や、３服用分という様な包みの数が少ない場合の分包は得意ではない。
例えば、小児用に処方する薬剤は、一服用分の薬剤が１ｇ以下の場合が多く、０．３ｇという様な極少量の薬剤を飲ませる場合も珍しくはない。
また小児は、自身の病状を正確に医師に伝えることができないので、医師は適切な薬剤を選ぶことが難しい。そのため医師は、日々、処方する薬剤の種類や量を換え、小児患者の容態を観察して、適切な薬剤を選ぶ場合が多い。
この様な場合、医師は、一日毎に処方を変更することとなり、例えば朝、昼、夜と、３回服用する薬剤であるならば、３包分の処方を出す。そして薬剤師は、散薬分包装置９００を使用し、処方箋に従って３包の薬剤を準備する。
【００１１】
この様な場合は、分配皿９１２に投入する薬剤の総量が少ない。そのため、トラフ９１０から散薬を落下させ、散薬を分配皿９１２の溝９１６に均等に分散させたとき、溝９１６の底に浅く散薬が溜まるに過ぎない。
また散薬は、分配皿９１２の溝９１６の全周に均等に分散しているから、３回服用に分割するには、分配皿９１２を１／３周ずつ回転させて掻寄板９１７の前面に散薬を掻き寄せる必要があり、分配する際の分配皿９１２の回転角度が大きい。
【００１２】
この様に、溝９１６の底に散薬が浅く溜まっており、且つ掻き寄せる際の分配皿９１２の回転角度が大きい場合は、溝９１６の底にこびりつく薬剤の量が無視できない。
即ち、溝９１６の底にこびりつく薬剤の量は、溝９１６に溜まった薬剤の深さに係わらず一定である。従って一服用分の薬剤を分包する際における薬剤の損量は、掻き寄せる際の分配皿９１２の回転角度に依存し、掻き寄せる際の分配皿９１２の回転角度が大きい場合には、一服用分の薬剤の減少量が多い。
また前記した様に、一服用分の薬剤量が少ない場合は、溝９１６の底に残ってしまう薬剤の割合が相対的に高い。そのため一服用分の薬剤量が少ない場合は、一包内の内容量が処方量を下回ってしまう懸念がある。
【００１３】
また特許文献２に開示された方法によると、朝服用分１．２グラム、昼服用分１．２グラム、夜服用分２．４グラムという様な量的な不均等処方に対応して散薬を包装することができるが、質的な不均等処方を実施することはできない。即ち特許文献２に開示された方法では、朝服用分の包装には散薬Ｘ，Ｙ，Ｚが封入され、昼服用分には散薬Ｚだけが封入され、夜服用分には散薬Ｘ，Ｙが封入されるという様な質的に異なる３服用分の包装を作ることはできない。
【００１４】
そこで本発明は、従来技術の上記した問題点に注目し、一服（一包み）の内容量が少なく、且つ分割数が少ない場合であっても、一服用分の包みの中に、正確な量の薬剤を入れることができる薬剤払出し装置及び薬剤払出し方法を提供することを課題とするものである。
また本発明は、量的な不均等処方や、質的な不均等処方にも対応できる薬剤払出し装置及び薬剤払出し方法を提供することを課題とするものである。
【課題を解決するための手段】
【００１５】
上記した課題を解決するための態様は、散薬を排出する薬剤フィーダと、動力によって回転される分配皿と、分配皿に投入された散薬を掻き出す掻出装置と、薬剤包装装置とを有し、薬剤フィーダから分配皿に散薬を供給し、分配皿上の散薬を一服用分ずつ掻出装置で掻き出して薬剤包装装置に投入し、散薬を一服用分ずつ包装する薬剤払出し装置において、前記薬剤フィーダは、散薬の排出量を監視し所望の量の散薬を排出することが可能であり、薬剤フィーダから散薬を一服用分ずつ分配皿に供給し、その間分配皿を停止又は回転させて分配皿上に散薬を一服用分ずつ間隔を開けて配置する分散配置モードでの運転が可能であることを特徴とする薬剤払出し装置である。
もう一つの態様は、散薬を排出する薬剤フィーダと、動力によって回転される分配皿と、分配皿に投入された散薬を掻き出す掻出装置と、薬剤包装装置とを有し、薬剤フィーダから分配皿に散薬を供給し、分配皿上の散薬を一服用分ずつ掻出装置で掻き出して薬剤包装装置に投入し、散薬を一服用分ずつ包装する薬剤払出し装置において、
前記薬剤フィーダは、散薬の排出量を監視し所望の量の散薬を排出することが可能であり、薬剤フィーダから散薬を一服用だけ分配皿に供給し、薬剤フィーダから一服用分の散薬が分配皿に供給されると薬剤フィーダから分配皿に対する散薬の供給を一時的に停止する運転が可能であることを特徴とする薬剤払出し装置である。
【００１６】
本態様の薬剤払出し装置では、薬剤フィーダから散薬が一服用分ずつ分配皿に供給される。そしてその間、分配皿の回転を停止させるか、あるいは極小さな角速度で回転させる。そのため、散薬は、一点あるいは極狭い領域に、山の如くに積み上げられ、散薬群ができる。
なお散薬群は、一般に複数作られるが、散薬群を一つだけ作ってもよい。
その後、分配皿を回転させて掻出装置で散薬を掻き寄せ、さらに散薬は分配皿から掻き出されることとなるが、本態様の薬剤払出し装置では、薬剤を掻き寄せる際の分配皿の回転角度が小さく、分配皿の残留する薬剤の量が少ない。そのため一包みの中に、正確な量の薬剤が封入される。
【００１７】
分散配置モードにおいては、薬剤フィーダから散薬を分配皿に供給する際に分配皿の回転を停止し、薬剤フィーダから一服用分の散薬が分配皿に供給されると薬剤フィーダから分配皿に対する散薬の供給を一時的に停止し、その後に分配皿を所定の角度だけ回転し、さらにその後に薬剤フィーダから分配皿に対する散薬の供給を再開し、この一連の動作を繰り返すことが望ましい。
上記した態様において、薬剤フィーダからの散薬の供給を一時的に停止し、その後に薬剤フィーダから分配皿に対する散薬の供給を再開し、この一連の動作を繰り返すことが望ましい。
【００１８】
前記薬剤フィーダは、薬剤容器と、本体装置によって構成され、前記薬剤容器は、本体装置に対して着脱自在であり、前記薬剤容器には薬剤を排出する薬剤排出部があり、本体装置は、振動台と、振動台を振動させる加振手段と、振動台に薬剤容器を一時的に固定する容器保持手段と、薬剤容器の重量を直接的または間接的に測定する重量測定手段とを有し、薬剤容器を振動台に載置し、容器保持手段で薬剤容器を振動台に固定し、振動台を振動させて薬剤排出部から散薬を少量ずつ排出し、重量測定手段によって散薬の排出量を検知することが可能であることが望ましい。
【００１９】
本態様の薬剤払出し装置では、本体装置に薬剤容器を固定する。この状態で振動台を振動させることによって、薬剤容器の全体または一部を振動させることができる。そのため薬剤容器内の薬剤はゆっくりと薬剤排出部側に移動し、薬剤は整流されて流れが層流化し、薬剤排出部から排出される。
また容器載置装置には、重量測定手段が装備されているから、薬剤の排出量を検知することができ、散薬等を量り出す作業を自動化することができる。
【００２０】
重量測定手段によって、薬剤を排出する以前の薬剤容器の重量たる原重量を測定し、薬剤容器から散薬を少量ずつ排出する際に前記重量測定手段によって薬剤容器の重量を監視し、薬剤容器の現在の重量たる現重量が、原重量から目標排出量を引いた値に一致した際あるいは略一致した際に薬剤容器からの散薬の排出を停止させる計量機能を備えたことが望ましい。
【００２１】
薬剤容器の重量の測定手段について付言すると、薬剤容器の重量の測定は直接的であるか間接的であるかを問わない。即ち薬剤容器の重量だけを直接測定しても良いし、振動台等の機器を含めた重量を測定してもよい。
本態様の薬剤払出し装置では、薬剤を排出する以前の薬剤容器の重量たる原重量と、薬剤容器の現在の重量たる現重量とを活用し、現重量が原重量から目標排出量を引いた値に一致した際に振動台の振動を停止させる。あるいは落下途中の薬剤の重量を勘案して、現重量が原重量から目標排出量を引いた値から僅かに少なく、略一致した際に振動台の振動を停止させる。そのため目標量の薬剤が排出された後に、振動台の振動が停止され、薬剤の排出が停止する。
【００２２】
薬剤払出し装置はその内部に、容器保管装置が設けられ、さらに容器移動手段が設けられ、容器移動手段によって容器保管装置から所定の薬剤容器を取り出して振動台に載置し、薬剤容器から散薬を排出させて分配皿に投入し、掻出装置によって分配皿に投入された散薬を掻き出して薬剤包装領域側に送り、薬剤包装装置によって薬剤を包装し、排出を終えた薬剤容器を容器移動手段によって容器保管装置に戻すことが可能であることが望ましい。
【００２３】
本態様によると、薬剤容器の選択、計量、分配、包装及び薬剤容器を元の位置に戻すまでの一連の作業を自動的に行うことができる。
【００２４】
また同様の作用効果を奏する態様は、動力によって回転される分配皿と、分配皿に投入された散薬を掻き出す掻出装置と、薬剤包装装置とを有し、分配皿に散薬を供給し、分配皿上の散薬を掻出装置で掻き出して薬剤包装装置に投入し、散薬を一服用分ずつ包装する薬剤払出し装置において、散薬を一服用分ずつ又は一服用分だけ分配皿に供給し、その間分配皿を停止又は回転させて分配皿上に一又は複数の散薬群を形成し、分配皿上であって前記散薬群の周方向両側には散薬が存在しない空間領域を形成させる分散配置モードでの運転が可能であり、掻出装置によって前記散薬群を掻き出して薬剤包装装置に投入することを特徴とする薬剤払出し装置である。
【００２５】
本態様の薬剤払出し装置においても、一点あるいは極狭い領域に、散薬を山の如くに積み上げられる。
その後、分配皿を回転させて掻出装置で散薬を掻き寄せ、さらに散薬は分配皿から掻き出されることとなるが、本態様の薬剤払出し装置では、薬剤を掻き寄せる際の分配皿の回転角度が小さく、分配皿の残留する薬剤の量が少ない。そのため一包みの中に、正確な量の薬剤が封入される。
【００２６】
分配皿を清掃する清掃装置を有し、分散配置モードでの運転が行われた後に清掃装置によって分配皿を清掃する際には、少なくとも散薬が存在していた部位または領域が清掃されることが望ましい。
【００２７】
本態様によると、分配皿が清掃されるので、薬剤のコンタミネーションが防止される。また分散配置モードでの運転が行われた後に行われる清掃は、散薬が存在していた部位または領域に重点をおいて行われることが望ましい。例えば、散薬が存在していた部位または領域だけを清掃したり、散薬が存在していた部位または領域にブラシ等が接する時間を他の領域に比べて長く設定する。
【００２８】
分散配置モードにおいては、分配皿に供給する一服用分の散薬の量を個別に変化させ、分配皿上に複数配置される一服用分の散薬群の中に、量の異なる散薬群を混在させることが可能であることが望ましい。
【００２９】
本態様は、量的な不均等処方に対応できる薬剤払出し装置である。
【００３０】
また複数の薬剤フィーダを有し、分散配置モードにおける動作の一つとして、混合モードがあり、混合モードにおいては、一つの薬剤フィーダから排出された散薬と、他の薬剤フィーダから排出された散薬とを分配皿の同じ箇所又は近接した箇所に供給し、一つの薬剤フィーダから排出された散薬と、他の薬剤フィーダから排出された散薬とを一つの混合薬剤群とし、まとめて掻出装置で掻き出すものであってもよい。
【００３１】
本態様によると、一包みの中に複数の散薬を混在させることができる。
【００３２】
混合モードにおいては、駆動させる薬剤フィーダと、薬剤フィーダから排出される散薬の量を個別に変更することが可能であり、混合状態が異なる混合薬剤群を作ることが可能であることが推奨される。
【００３３】
本態様によると、例えば、朝服用分、昼服用分、夜服用分という様に複数の時期に服用するべき薬剤があり、各時期に服用する薬剤の種類や量が異なる場合にも対応することができる。
【００３４】
混合モードにおいては、同時に複数の薬剤フィーダを動作させる同時排出動作を実行し、その後に分配皿を一定角度だけ回転して、先に排出された散薬の近傍に先に排出に使用した薬剤フィーダと異なる薬剤フィーダを相対的に近接し、近接した薬剤フィーダから散薬を排出することが可能であることが推奨される。
【００３５】
本態様によると、短時間で分包作業を終了することができる。
【００３６】
分配皿を逆回転することが可能であり、混合モードにおいては、薬剤フィーダから散薬を排出して分配皿の複数の箇所に散薬を配置し、その後に分配皿を逆回転し、先に配置された散薬の近傍に先に排出に使用した薬剤フィーダと異なる薬剤フィーダを相対的に近接し、近接した薬剤フィーダから散薬を排出することが可能であることが望ましい。
【００３７】
また薬剤払出し方法に関する態様は、散薬を排出する薬剤フィーダと、動力によって回転される分配皿と、分配皿に投入された散薬を掻き出す掻出装置と、薬剤包装装置を備えた薬剤払出し装置を使用して薬剤を払い出す薬剤払出し方法であって、散薬を一服用分ずつ分配皿に供給し、その間分配皿を停止又は回転させて分配皿上に散薬群を一服用分ずつ間隔を開けて分散配置し、分散配置された散薬群を一群ずつ掻出装置で掻き出して薬剤包装領域側に送り、薬剤包装装置によって薬剤を一服用分ずつ包装して排出することを特徴とする。
【００３８】
薬剤フィーダから散薬を分配皿に供給する際に分配皿の回転を停止するかあるいは極低速で回転し、薬剤フィーダから一服用分の散薬が分配皿に供給されると薬剤フィーダから分配皿に対する散薬の供給を一時的に停止し、その後に分配皿を所定の角度だけ回転し、さらにその後に薬剤フィーダから分配皿に対する散薬の供給を再開し、この一連の動作を繰り返すことが望ましい。
【００３９】
分配皿上には複数の散薬群が形成され、前記散薬群は、いずれも同一の患者が服用すべき散薬であってもよい。
【００４０】
本態様によると、投薬すべき患者を誤ることがない。
【００４１】
逆に分配皿上には複数の散薬群が形成され、当該散薬群には異なる患者が服用すべき散薬群が混在していてもよい。
【００４２】
本態様によると、薬剤を払出す効率が向上する。
【００４３】
薬剤フィーダから排出する一服用分の散薬の量を変化させ、分配皿上に形成される複数の散薬群の中に、量の異なる散薬群を混在させてもよい。
【００４４】
複数の薬剤フィーダを使用し、一つの薬剤フィーダから排出された散薬と、他の薬剤フィーダから排出された散薬とを分配皿の同じ箇所又は近接した箇所に供給し、一つの薬剤フィーダから排出された散薬と、他の薬剤フィーダから排出された散薬とを一つの混合散薬群とし、まとめて掻出装置で掻き出すことも推奨される。
【００４５】
薬剤フィーダから散薬を排出して分配皿の複数の箇所に散薬を配置し、その後に分配皿を逆回転し、先に配置された散薬の近傍に先に排出に使用した薬剤フィーダと異なる薬剤フィーダを相対的に近接し、近接した薬剤フィーダから散薬を排出することが望ましい。
【００４６】
駆動させる薬剤フィーダと、薬剤フィーダから排出される散薬の量を個別に変更し、混合状態が異なる混合薬剤群を作ってもよい。
【発明の効果】
【００４７】
本発明の薬剤払出し装置及び払出し方法によると、一服用分（一包み）の容量が少なく、分割数が少ない場合であっても、一服用分の包みの中に、正確な量の薬剤を入れることができる。
【図面の簡単な説明】
【００４８】
【図１】本発明の実施形態の薬剤払出し装置の内部を透視して示す斜視図である。
【図２】図１の薬剤払出し装置の作用を工程を追って説明する説明図であり、左側は分配皿の近傍の断面図であり、右側は分配皿の平面図である。
【図３】図２の工程に続く薬剤払出し装置の作用を工程を追って説明する説明図であり、左側は分配皿の近傍の断面図であり、右側は分配皿の平面図である。
【図４】図１の薬剤払出し装置の他の作用を工程を追って説明する説明図であり、左側は分配皿の近傍の断面図であり、右側はその断面図である。
【図５】薬剤フィーダの斜視図である。
【図６】薬剤容器の断面図である。
【図７】容器載置装置（本体装置）の斜視図である。
【図８】図７の容器載置装置（本体装置）の縦断面して観察した斜視図である。
【図９】図７の容器載置装置（本体装置）の縦断面して観察した側面図である。
【図１０】混合モードにおける図１の薬剤払出し装置の作用を工程を追って説明する説明図であり、上は分配皿の平面図であり、下は分配皿の特定のエリアに盛られた散薬の断面図である。
【図１１】混合モードの他の実施形態における図１の薬剤払出し装置の作用を工程を追って説明する説明図であり、上は分配皿の平面図であり、下は分配皿の特定のエリアに盛られた散薬の断面図である。
【図１２】混合モードのさらに他の実施形態における図１の薬剤払出し装置の作用を工程を追って説明する説明図であり、上は分配皿の平面図であり、下は分配皿の特定のエリアに盛られた散薬の断面図である。
【図１３】混合モードのさらに他の実施形態における図１の薬剤払出し装置の作用を工程を追って説明する説明図であり、上は分配皿の平面図であり、下は分配皿の特定のエリアに盛られた散薬の断面図である。
【図１４】従来技術の薬剤払出し装置の構成を説明する説明図である。
【発明を実施するための形態】
【００４９】
以下さらに本発明の実施形態の薬剤払出し装置１について説明する。
本実施形態の薬剤払出し装置１は、処方箋に記載された散薬が収容された薬剤容器２を選択し、これを搬送し、薬剤容器２から所望量の散薬を排出させ、一服用分ずつに分割し、一服用分ずつ包装することができる装置であり、これら一連の作業を自動的に行うことができる装置である。
【００５０】
本実施形態の薬剤払出し装置１は、図１の様に筐体７によって囲まれており、その内部は、薬剤棚部領域１００と、薬剤分割領域２００と、薬剤包装領域３００に分かれている。
【００５１】
薬剤棚部領域１００には、薬剤容器２を設置する容器保管装置１０１が設けられている。本実施形態では、容器保管装置１０１は、略水平方向に回転する縦型のドラム部材１０２を有し、ドラム部材１０２の外周面に複数の容器設置部１０３が設けられたものである。容器設置部１０３は、機械的な係合によって薬剤容器２を保持するものであり、薬剤容器２を押し込むことによって薬剤容器２が機械的係合によって保持され、薬剤容器２を引っ張ると係合が外れて薬剤容器２を離脱させることができる。
【００５２】
ドラム部材１０２は、モータによって回転し、所望の薬剤容器２が、後記するロボットハンドに近接され、ロボットハンドによって着脱される。
【００５３】
薬剤容器２は、後記する容器載置装置（本体装置）３とで一組の薬剤フィーダ５を構成するものである。
薬剤容器２には、図５，図６の様に、二面に鉄板が設けられている。一面に設けられた鉄板は、ロボットハンドに磁着させて薬剤容器２をロボットハンドに固定するための運搬用鉄板部１５７である。他の面に設けられた鉄板は、薬剤容器２を分配皿の近傍に設けられた容器載置装置３に薬剤容器２を固定するために使用される固定用鉄板部６である。
また薬剤容器２には、ＲＦＩＤ（Ｒａｄｉｏ  Ｆｒｅｑｕｅｎｃｙ  ＩＤｅｎｔｉｆｉｃａｔｉｏｎ）等の情報記録部材１５が取り付けられている。
薬剤容器２には、所望の散薬が充填されており、前記ＲＦＩＤ等の情報記録部材１５には、当該散薬の名称、有効期限、収納位置等の各種情報が記録されている。
【００５４】
図１の様に、薬剤棚部領域１００から薬剤分割領域２００に至る領域に、容器移動手段７００が設けられている。容器移動手段７００は、垂直方向に設けられた昇降機構７０１にロボット７０２が設けられたものである。ロボット７０２は、２本のアーム部材７０５，７０６と、ハンド部７０７とを有するものである。ハンド部７０７には、磁石が設けられており、薬剤容器２の鉄板を磁着して保持することができる。
【００５５】
薬剤分割領域２００は、２個の分配皿２０１が埋設状態に設置された領域であり、その周囲に容器載置装置３と、清掃装置５００が配置されたものである。本実施形態では、分配皿２０１の周囲に複数の容器載置装置３が配されている。より具体的には、分配皿２０１の周囲に容器載置装置３が３台ずつ設けられている。
また薬剤分割領域２００には、掻出装置６００が設けられている。掻出装置６００は、掻出用アーム６０５と、その先端に設けられた掻出機構６０６によって構成されている。掻出機構６０６は、公知のそれと同様であり、ディスク状の掻寄板６０９と、掻寄板６０９に設けられた掻出板６０７とによって構成されている。
本実施形態では、薬剤分割領域２００の各分配皿２０１から、掻出装置６００の掻出用アーム６０５が突出している。
分配皿２０１は、皿回転機構２１１（図２）によって一定速度で回転させることができる。また所定の角度だけ回転させることもできる。分配皿２０１は正方向にも逆方向にも回転させることができる。
【００５６】
容器載置装置３は、図７，８，９の様に、振動台２０と、薬剤容器２の重量を直接的または間接的に測定する重量測定手段２５とを有している。また図示しない落下確認センサーが設けられている。
振動台２０には、振動台２０に薬剤容器２を一時的に固定する容器保持手段が設けられている。容器保持手段は、具体的には磁石３０ａ，３０ｂである。振動台２０の両端には、加振手段２１が傾斜姿勢で取り付けられている。加振手段２１は、具体的には圧電素子である。落下確認センサーは、例えば光電センサーであり、薬剤容器２から薬剤が排出されているか否かを確認するためのセンサーである。
本実施形態では、容器載置装置３に薬剤容器２が載置され、振動台２０を振動させて薬剤容器２から薬剤を排出させることができる。またその時の薬剤容器２の重量変化が、重量測定手段２５によって検知される。
【００５７】
清掃装置５００は、分配皿２０１の近傍を基端として片持ち状に突出すると共に先端側が動力によって昇降する清掃用アームを有し、その先端に清掃ブラシ５０２が設けられたものである。
清掃ブラシ５０２は、ブラシカバー５０３内に回転可能に装着されている。ブラシカバー５０３は、先端側が開口するカバーであり、当該開口部から清掃ブラシ５０２の一部が露出する。
またブラシカバー５０３は、図示しない吸引装置に接続されている。
【００５８】
薬剤包装領域３００には、薬剤包装装置４１０が内蔵されている。薬剤包装装置４１０は、公知のそれと同様に、薬剤を一服用分ずつ包装する機械であり、公知の様に、分包紙供給装置、包装装置によって構成されている。また包装部に薬剤を投入する散薬投入ホッパー４１３（図２）が設けられている。
【００５９】
本実施形態の薬剤払出し装置１は、薬剤容器２を容器保管装置１０１に収容する動作と、処方箋に応じて薬剤容器２を選び出す動作と、容器保管装置１０１から薬剤容器２を取り出して分配皿２０１の近傍に移動させ、容器載置装置３に載置させる動作と、所定量の薬剤を分配皿２０１に投入する動作と、薬剤を分割して薬剤包装装置４１０に投入する動作と、薬剤容器２を容器保管装置１０１に戻す動作を自動的に行うことができる。
【００６０】
また本実施形態の薬剤払出し装置１は、薬剤を分配皿２０１に投入する際、従来技術と同様に散薬を分配皿２０１に均等に入れて分割する均等配置モードと、散薬を散点的に入れて分割する分散配置モードでの運転が可能である。
【００６１】
まず均等配置モードについて説明する。
前記した様に、本実施形態の薬剤払出し装置１では、多数の薬剤容器２を使用する。薬剤容器２の数は多数にのぼり、原則として各薬剤容器２に異なる種類の薬剤が充填される。薬剤容器２は、容器保管装置１０１に取り付けられて保管されている。
【００６２】
本実施形態の薬剤払出し装置１は、処方箋に応じて自動的に薬剤容器２を選び出す。具体的には、容器保管装置１０１のドラム部材１０２を回転し、所望の薬剤容器２を容器移動手段７００に近づける。そして容器移動手段７００のハンド部７０７で、薬剤容器２を保持する。そしてハンド部７０７に設けられた磁石によって薬剤容器２に設けられた運搬用鉄板部１５７を吸着させる。
そしてアーム部材７０５，７０６を後退させて薬剤容器２を抜き取り、アーム部材７０５，７０６を動作させて当該薬剤容器２を容器載置装置３の振動台２０に設置する。
なお複数の薬剤を配合して、一つの包装中に同封する場合には、複数の薬剤容器２が容器載置装置３に設置される。
そして振動台２０を振動させる。その結果、薬剤容器２の散薬が、ゆっくりと移動し、薬剤容器２から排出されて分配皿２０１に落下する。
また振動開始と前後して散薬分配装置２０２の分配皿２０１を回転させる。また振動開始と前後して、薬剤容器２の重量が測定される。その間、薬剤容器２の重量が監視され、散薬の総排出量が所望の重量となったところで、振動台２０の振動を停止する。
【００６３】
その後に分配皿２０１の回転を停止する。そして掻出用アーム６０５を揺動させ、先端側を降下させて掻出機構６０６を下げ、掻出機構６０６を分配皿２０１の薬剤投入溝２０８内に入れる。
そして分配皿２０１を分配個数に応じた角度だけ回転させて、掻寄板６０９にかき寄せる。その後、掻寄板６０９を回転し、掻出板６０７で薬剤をすくい上げて分配皿２０１から排出し、薬剤投入開口２４１に投入する。
薬剤投入開口２４１に投入された薬剤（散薬）は、散薬投入ホッパー４１３を落下して薬剤包装装置４１０に運ばれ、薬剤包装装置４１０で包装される。
この動作を順次繰り返し、分配皿２０１内の薬剤を全て排出し、それぞれ薬剤包装装置４１０で包装される。
【００６４】
分配皿２０１内の薬剤を全て排出し終えると、溝清掃動作が実行される。即ち清掃装置５００の清掃用アームを回動させて先端に設けられた清掃ブラシ５０２を降下させ、清掃ブラシ５０２を分配皿２０１の薬剤投入溝２０８内に入れる。
そして清掃ブラシ５０２を回転しつつ、分配皿２０１を回転させる。
その結果、分配皿２０１の薬剤投入溝２０８内に残っていた薬剤の残渣が清掃ブラシ５０２で掻き落とされ、舞い上がっていた残渣が吸引手段で吸引される。その結果、薬剤投入溝２０８内が清掃される。
均等配置モードによって運転された後に実施される溝清掃動作では、分配皿２０１の薬剤投入溝２０８が全周に渡って清掃される。
【００６５】
またこれと並行して、容器移動手段７００が起動され、薬剤容器２がドラム部材１０２の容器設置部１０３に戻される。
【００６６】
次に本実施形態に特有の動作たる分散配置モードについて、図２，３，４を参照しつつ説明する。分散配置モードは、分配皿２０１に対する薬剤の投入工程のみが相違するので、説明は、相違点に重点をおいて説明し、共通部分の説明は省略する。
分散配置モードで運転する場合には、薬剤容器２から分配皿２０１に散薬を落下させる際、分配皿２０１を回転させない。
即ち、図２（ｂ）の様に、分配皿２０１を静止させた状態で、薬剤容器２から分配皿２０１に散薬を排出する。より具体的には、薬剤容器２を容器載置装置３の振動台２０に設置し、振動台２０を振動させる。
また振動開始と前後して、薬剤容器２の重量が測定される。その間、薬剤容器２の重量が、監視され、散薬の総落下量が一服用分の重量となったところで、振動台２０の振動を停止する。
即ち前記した均等配置モードにおいては、複数服用分の合計量の散薬を薬剤容器２から一度に排出させるが、分散配置モードで運転する場合には、一服用分の散薬だけを分配皿２０１の薬剤投入溝２０８に落下させる。
ここで分配皿２０１は、静止した状態を保っているから、散薬の落下地点は変わらず、図２（ｂ）の様に薬剤投入溝２０８の一点に薬剤（散薬）２２が山の如くに積層する。
【００６７】
一服用分の薬剤を落下し終えると、振動台２０の振動を停止し、散薬の排出を中断する。
そして続いて分配皿２０１を僅かに回転させる。例えば、５度から３０度程度の角度だけ回転させる。即ち分配皿２０１を微小角度だけ回転させた後、分配皿２０１の回転を停止する。
その結果、先に積み上げられた散薬２２の山は、図２（ｃ）の様に周方向に移動し、薬剤容器２の真下には、分配皿２０１の新たな溝面が回り込んで来る。
そして図３（ｄ）の様に振動台２０の振動を再開させ、新たな分配皿２０１の新たな溝面に、一服用分の散薬２３だけを落下させる。
この場合においても、分配皿２０１は、静止した状態を保っているから、薬剤の落下地点は変わらず、一点に散薬２３が山の如くに積み上がる。
【００６８】
一服用分の薬剤を落下し終えると、振動台２０の振動を再度停止し、散薬の排出を中断すると共に分配皿２０１を僅かに回転させる。先に積み上げられた散薬２３の山は、周方向に移され薬剤容器２の真下に分配皿２０１の新たな溝面を回り込ませる。
以下、この工程を繰り返し、分配皿２０１の溝面に例えば３山の散薬（散薬群）２２，２３，２４を作る（図３ｅ）。
散薬群同士の間は、図の様に間隔があいている。そのため散薬群同士の間には、散薬が存在しない空間領域２６がある。散薬群を中心に見ると、散薬群の周方向両側には散薬が存在しない空間領域２６が形成されている。
【００６９】
所定の量の散薬群を作ったあとは、分配皿２０１を回転させて最初の散薬群（散薬２２）を掻出用アーム６０５近傍に回動させ、掻出用アーム６０５先端側を降下させて掻出機構６０６を下げ、掻出機構６０６を分配皿２０１の薬剤投入溝２０８内に入れる。
そして分配皿２０１を隣接する散薬群（散薬２３）に至らない範囲で回転させ、掻寄板６０９の前面で最初の散薬群（散薬２２）を掻き集める。
さらに掻寄板６０９を回転し、掻出板６０７で薬剤をすくい上げて分配皿２０１から排出し、散薬２２を薬剤投入開口２４１に投入する。
薬剤投入開口２４１に投入された散薬２２は、散薬投入ホッパー４１３を落下して薬剤包装装置４１０に運ばれ、薬剤包装装置４１０で包装される。
この動作を順次繰り返し、分配皿２０１内の薬剤を全て排出し、それぞれ薬剤包装装置４１０で包装される。
分散配置モードによると、掻寄板６０９によって薬剤を掻寄せる際における分配皿２０１の回転角度が小さいから、分配皿２０１にこびりつく薬剤量が少ない。また分配皿２０１の回転角度が小さいから、薬剤を掻き出すのに要する時間が短くて足る。
【００７０】
分配皿２０１内の薬剤を全て排出し終えると、溝清掃動作が実行される。ただし分散配置モードによって運転された後に実施される溝清掃動作では、分配皿２０１の薬剤投入溝２０８の一部だけが清掃される。
即ち分散配置モードによる場合は、分配皿２０１の薬剤投入溝２０８の一部の領域だけに散薬２２，２３，２４が投下される。例えば前記した実施形態では、分配皿２０１の溝面に３山の散薬群を作る（図３ｅ）。ここで散薬群が分布する領域は、溝の全周の４分の１程度であり、約９０度の領域である。そして分散配置モードによって運転された後に実施される溝清掃動作では、この約９０度の領域及びその近傍部分だけが清掃される。
そのため清掃に要する時間が大幅に短縮される。
【００７１】
またこれと平行して、容器移動手段７００が起動され、薬剤容器２がドラム部材１０２の容器設置部１０３に戻される。
【００７２】
以上説明した実施形態では、分散配置モードで運転する場合に、散薬群を３群作り、３服用分の分包を行ったが、分包の個数については、任意であり、一分包であってもよく、１０以上であってもよい。
【００７３】
また以上説明した実施形態では、分散配置モードで運転した後には、分配皿２０１の薬剤投入溝２０８の内、薬剤（散薬）が設置された領域に限って清掃を行った。即ち分散配置モードで運転した後における清掃工程を簡略化した。さらに簡略化させた方策として、散薬群が設けられていた部位だけを清掃してもよい。
もちろん分散配置モードで運転した後に、薬剤投入溝２０８を全周に渡って清掃してもよいが、散薬が設置された領域又は散薬が設置されていた部位を他の領域や部位に比べて入念に清掃することが推奨される。例えば、分配皿２０１の回転速度を調整して、散薬が設置された領域又は散薬が設置されていた部位に清掃装置５００の清掃ブラシ５０２が留まる時間を長くしたり、分配皿２０１を往復回転させて清掃装置５００の清掃ブラシ５０２が通過する回数を他の領域に比べて多くすることが考えられる。
【００７４】
また以上説明した実施形態は、同一患者に投与する散薬を分包することを前提に説明しており、各散薬群の薬剤量はいずれも同一である。
しかしながら本発明は、この使用方法に限定されるものではなく、複数人に投与する薬剤を同時に分包してもよい。
例えば、図４の様に、第１散薬群（散薬２７）は、３歳のＡ患者に処方されたものであり、０．３ｇの薬剤量である。これに対して第２散薬群（散薬２８）は、６歳のＢ患者に処方されたものであり、０．８ｇの薬剤量である。
複数の患者に対する処方を同時に行う場合は、下流側の薬剤包装装置４１０では、包装袋に、「Ａ患者用」、「Ｂ患者用」という様な患者名や服用時期を区別するような印字がなされ、薬剤師が投薬ミスを発生しない様に表示される。
【００７５】
また同一種類の薬剤が処方された処方箋を集め、一度に複数人の散薬を分包してもよい。
【００７６】
本実施形態の薬剤払出し装置１によって、量的な不均等処方に対応して散薬を包装することもできる。
この場合の様子は、図４と同様であるから、図４を併用して量的な不均等処方に対応する方法を説明する。
例えば、朝服用分１．２グラム、昼服用分２．４グラム、夜服用分１．２グラムという様な不均等処方に対応して散薬を包装する場合は、分配皿２０１を静止させた状態で、薬剤容器２から分配皿２０１に朝服用分１．２グラムの薬剤を排出する。より具体的には、薬剤容器２を容器載置装置３の振動台２０に設置し、振動台２０を振動させると共に薬剤容器２の重量を監視し、散薬の総落下量が朝服用分の１．２グラムとなったところで、振動台２０の振動を停止する。こうして作られた第１散薬群（散薬２７）は、朝服用分の薬剤である。
【００７７】
そして続いて分配皿２０１を僅かに回転させた後、分配皿２０１を停止し、薬剤容器２から分配皿２０１に昼服用分２．４グラムの薬剤を排出する。即ち振動台２０を振動させる時間等を異ならせ、薬剤容器２から分配皿に供給する一服用分の散薬の量を、服用時期ごとに個別に変化させる。こうして作られた第２散薬群（散薬２８）は、昼服用分の薬剤である。
同様の工程によって夜服用分の散薬群（図示せず）を作る。その結果、分配皿２０１には、量の異なる散薬群が混在することとなる。その後の工程は、前述の通りであり、散薬２７，２８を順次薬剤投入開口２４１に投入し、薬剤包装装置４１０で包装される。
下流側の薬剤包装装置４１０では、包装袋に、「朝服用」、「昼服用」という様な服用時期を区別するような印字がなされる。
【００７８】
上記した実施形態では、一服用分の包装の中に一種類の散薬を封入する場合を例にあげて説明したが、一服用分の包装の中に複数種類の散薬を同封してもよい。
一服用分の包装の中に複数種類の散薬を同封する場合には、混合モードによって薬剤払出し装置１が運転される。なお混合モードは、分散配置モードの一形態である。
以下、混合モードについて図１０乃至１３を参照しつつ説明する。
説明の便宜上、分配皿２０１を仮想的にＡエリア、Ｂエリア、Ｃエリアに区分する。また本実施形態では、容器載置装置３を３台使用し、各容器載置装置３に薬剤容器２を設置する。説明の便宜上、３個の薬剤容器２を薬剤容器２ｘ、２ｙ，２ｚとして区別する。各薬剤容器２ｘ、２ｙ，２ｚには異なる散薬が収容されている。理解を容易にするために、薬剤容器２ｘに収容された散薬Ｘを左上から右下に向かって傾斜する斜線で表示し、薬剤容器２ｙに収容された散薬Ｙを右上から左下に向かって傾斜する斜線で表示し、薬剤容器２ｚに収容された散薬Ｚを空白枠で表示する。
【００７９】
図１０は、朝服用分と、昼服用分と、夜服用分の一日分、３包を分包する例であり、各包装内における散薬Ｘの量は同じである。また各包装内における散薬Ｙの量も同じである。さらに各包装内における散薬Ｚの量も同じである。図示の便宜上、各包装内における散薬Ｘの量と散薬Ｙの量と散薬Ｚの量が同一であるかの様に示されているが、実際にはこれらの量は異なっている。
この場合には、図１０のステージ（１）の様に薬剤容器２ｚの真下の位置に分配皿２０１のＡエリアが来る様に分配皿２０１を回転し、この位置で分配皿２０１の回転を停止する。
そして分配皿２０１を静止させた状態で、薬剤容器２ｚから分配皿２０１に薬剤Ｚを排出する。より具体的には、薬剤容器２ｚを設置した容器載置装置３の振動台２０を振動させる。
また振動開始と前後して、薬剤容器２ｚの重量が測定される。その間、薬剤容器２ｚの重量が、監視され、散薬Ｚの総落下量が一服用分の重量となったところで、振動台２０の振動を停止する。
【００８０】
そして続いて分配皿２０１を僅かに回転させ、図１０のステージ（２）の様に薬剤容器２ｚの真下の位置に分配皿２０１のＢエリアがあり、薬剤容器２ｙの真下の位置に分配皿２０１のＡエリアがある状態で分配皿２０１の回転を停止する。
そして分配皿２０１を静止させた状態で、薬剤容器２ｙ及び薬剤容器２ｚから分配皿２０１に薬剤Ｚ、薬剤Ｙを排出する。
その結果、Ａエリアには先の工程で落下させた薬剤Ｚの上に、薬剤容器２ｙから落下した薬剤Ｙが積み上げられる。
また分配皿２０１のＢエリアには、薬剤容器２ｚから薬剤Ｚが落下する。
【００８１】
そして続いて分配皿２０１をさらに僅かに回転させ、図１０のステージ（３）の様に薬剤容器２ｚの真下の位置に分配皿２０１のＣエリアがあり、薬剤容器２ｙの真下の位置に分配皿２０１のＢエリアがあり、薬剤容器２ｘの真下の位置に分配皿２０１のＡエリアがある状態で分配皿２０１の回転を停止する。
そして分配皿２０１を静止させた状態で、薬剤容器２ｘ、薬剤容器２ｙ及び薬剤容器２ｚから分配皿２０１に薬剤Ｚ、薬剤Ｙ、薬剤Ｘを排出する。
その結果、Ａエリアには先の工程で落下させた薬剤Ｚ，Ｙの上に、さらに薬剤容器２ｘから落下した薬剤Ｘが積み上げられる。
またＢエリアには先の工程で落下させた薬剤Ｚの上に、薬剤容器２ｙから落下した薬剤Ｙが積み上げられる。
さらに分配皿２０１のＣエリアには、薬剤容器２ｚから薬剤Ｚが落下する。
【００８２】
そして続いて分配皿２０１をさらに僅かに回転させ、図１０のステージ（４）の様に薬剤容器２ｚの真下の位置には分配皿２０１のＡ，Ｂ，Ｃのいずれのエリアも無く、薬剤容器２ｙの真下の位置に分配皿２０１のＣエリアがあり、薬剤容器２ｘの真下の位置に分配皿２０１のＢエリアがある状態で分配皿２０１の回転を停止する。
またＡエリアは各薬剤容器２ｘから離れている。
そして分配皿２０１を静止させた状態で、薬剤容器２ｘ及び薬剤容器２ｙから分配皿２０１に薬剤Ｙ、薬剤Ｘを排出する。
その結果、Ｂエリアには先の工程で落下させた薬剤Ｚ，Ｙの上に、さらに薬剤容器２ｘから落下した薬剤Ｘが積み上げられる。
またＣエリアには先の工程で落下させた薬剤Ｚの上に、薬剤容器２ｙから落下した薬剤Ｙが積み上げられる。
【００８３】
そして続いて分配皿２０１をさらに僅かに回転させ、図１０のステージ（５）の様に薬剤容器２ｚ，２ｙの真下の位置には分配皿２０１のＡ，Ｂ，Ｃのいずれのエリアも無く、薬剤容器２ｘの真下の位置に分配皿２０１のＣエリアがある状態で分配皿２０１の回転を停止する。
またＡエリアとＢエリアは各薬剤容器２ｘから離れている。
そして分配皿２０１を静止させた状態で、薬剤容器２ｘから分配皿２０１に薬剤Ｘを排出する。
その結果、Ｃエリアには先の工程で落下させた薬剤Ｚ，Ｙの上に、さらに薬剤容器２ｘから落下した薬剤Ｘが積み上げられる。
こうして、分配皿２０１のＡエリア、Ｂエリア、Ｃエリアにそれぞれ散薬Ｘ，Ｙ，Ｚが積み重ねられた混合薬剤群３１，３２，３３が形成される。
後の工程は、前記した通常の分散配置モードの動作と同一であり、分配皿２０１を回転させて最初の混合薬剤群３１，３２，３３を一つずつを掻き集め、掻寄板６０９を回転し、掻出板６０７で薬剤をすくい上げて分配皿２０１から排出し、各薬剤群を薬剤投入開口２４１に投入し、薬剤包装装置４１０で包装する。
【００８４】
以上説明した実施形態では、各包装に散薬Ｘ，Ｙ，Ｚを同じ量だけ封入する場合を示したが、包装の内容を個別に変化させることもできる。即ち本実施形態の薬剤払出し装置１によって、質的な不均等処方に対応して散薬を包装することもできる。
例えば、朝服用分の包装には散薬Ｘ，Ｙ，Ｚが封入され、昼服用分には散薬Ｚだけが封入され、夜服用分には散薬Ｘ，Ｙが封入された３服用分の包装を造ることもできる。
例えばＡエリアを朝服用分とし、Ｂエリアを昼服用分とし、Ｃエリアを夜服用分として混合薬剤群３５，３６，３７を作る。
この場合は、図１１の様にステージ（３）で、薬剤容器２ｙ，２ｚからの薬剤落下を省略し、Ｂエリア（昼服用分）に薬剤Ｙが落下するのを防止し、またＣエリア（夜服用分）に薬剤Ｚが落下するのを防止する。またステージ（４）で、薬剤容器２ｘからの薬剤落下を省略し、Ｂエリア（昼服用分）に薬剤Ｘが落下するのを防止する。
その結果、Ａエリアには散薬Ｘ，Ｙ，Ｚを含む混合薬剤群３５が形成され、Ｂエリアには散薬Ｚのみの薬剤群３６が形成される。またＣエリアには散薬Ｘ，Ｙの混合薬剤群３７が形成される。
後の工程は、前記した通常の分散配置モードの動作と同一である。
【００８５】
また包装に内蔵される薬剤の量を個別に変更することも可能である。
例えば、一日の服用分中には、いずれも散薬Ｘ，Ｙ，Ｚ封入されているが、昼服用分には、他に比べて散薬Ｙの処方量が多いといった分包を行うこともできる。即ち複数種類の散薬を同封し、さらに量的な不均等処方に対応して散薬を包装することもできる。
この場合は、図１２の様にステージ（３）で、薬剤容器２ｙからの薬剤落下量を多くする。その結果、分配皿２０１のＡエリア、Ｂエリア、Ｃエリアにそれぞれ散薬Ｘ，Ｙ，Ｚが積み重ねられた混合薬剤群４５，４６，４７が形成されるが、Ｂエリアは他のエリアに比べて散薬Ｙの量が多く積み重ねられる。
後の工程は、前記した通常の分散配置モードの動作と同一である。
【００８６】
図１０乃至図１２に示した例は、いずれも分配皿２０１を同一方向に回転させて分包を行う方法を開示したが、分配皿２０１を正逆両方に回転させて混合薬剤群を形成させてもよい。
図１３は、分配皿２０１を正逆両方に回転させて混合薬剤群を形成させる場合の実施形態を示している。
この場合は、図１３のステージ（１）で、薬剤容器２ｘの真下の位置に分配皿２０１のＡエリアがあり、薬剤容器２ｙの真下の位置に分配皿２０１のＢエリアがあり、薬剤容器２ｚの真下の位置に分配皿２０１のＣエリアがある状態とする。
そして各薬剤容器２ｘ，２ｙ，２ｚから同時に散薬を落下させる。その結果、Ａエリアには、散薬Ｘが落下し、Ｂエリアには散薬Ｙが落下し、Ｃエリアには散薬Ｚが落下する。
【００８７】
そして続いて分配皿２０１を僅かに正方向に回転させ、図１３のステージ（２）の様に薬剤容器２ｘの真下の位置に分配皿２０１のＢエリアがあり、薬剤容器２ｙの真下の位置に分配皿２０１のＣエリアがあり、薬剤容器２ｚの真下の位置にはいずれのエリアも無い状態とする。
そして各薬剤容器２ｘ，２ｙから同時に散薬を落下させる。その結果、Ｂエリアには、先の工程で落下させた薬剤Ｙの上に、薬剤容器２ｘから落下した薬剤Ｘが積み上げられる。またＣエリアには、先の工程で落下させた薬剤ｚの上に、薬剤容器２ｙから落下した薬剤Ｙが積み上げられる。
【００８８】
そして続いて分配皿２０１をさらに僅かに正方向に回転させ、図１３のステージ（３）の様に薬剤容器２ｘの真下の位置に分配皿２０１のＣエリアがある状態とする。
そして薬剤容器２ｘから散薬を落下させる。その結果、Ｃエリアには、先の工程で落下させた薬剤Ｚ，Ｙの上に薬剤容器２ｘから落下した薬剤Ｘが積み上げられる。
【００８９】
そして続いて分配皿２０１をやや大きく逆方向に回転させ、図１３のステージ（４）の様に、薬剤容器２ｙの真下の位置に分配皿２０１のＡエリアがあり、薬剤容器２ｚの真下の位置に分配皿２０１のＢエリアがある状態で分配皿２０１の回転を停止する。
そして分配皿２０１を静止させた状態で、薬剤容器２ｙ及び薬剤容器２ｚから分配皿２０１に薬剤Ｙ，Ｚを排出する。
その結果、Ｂエリアには、先の工程で落下させた薬剤Ｙ，Ｘの上に、薬剤容器２ｚから落下した薬剤Ｚが積み上げられる。またＡエリアには、先の工程で落下させた薬剤Ｘの上に薬剤容器２ｙから落下した薬剤Ｙが積み重ねられる。
【００９０】
そして続いて分配皿２０１をさらに僅かに逆方向に回転させ、図１３のステージ（５）の様に薬剤容器２ｚの真下の位置に分配皿２０１のＡエリアがある状態で分配皿２０１の回転を停止する。
そして分配皿２０１を静止させた状態で、薬剤容器２ｚから分配皿２０１に薬剤Ｚを排出する。
その結果、Ａエリアには、先の工程で落下させた薬剤Ｘ，Ｙに薬剤容器２ｚから落下した薬剤Ｚが積み重ねられる。
こうして、分配皿２０１のＡエリア、Ｂエリア、Ｃエリアにそれぞれ散薬Ｘ，Ｙ，Ｚが積み重ねられた混合薬剤群５５，５６，５７が形成される。
後の工程は、前記した通常の分散配置モードの動作と同一である。
【００９１】
以上説明した実施形態においても、混合散薬群を３群作り、３服用分の分包を行ったが、分包の個数については、任意であり、一分包であってもよく、１０以上であってもよい。
また以上説明した実施形態においては、同一のエリア内においては、先に落下させた薬剤の上に新たに落下させた薬剤を積み重ねたが、薬剤を積み重ねることは必須ではなく、近い領域にまとめて落下させればよい。
即ち分散配置モード（混合モードを含む）においては、分配皿２０１を回転し、掻寄板６０９によって薬剤を掻寄せる工程を有しているから、複数種類の薬剤が近い領域にまとまってさえいれば、複数の薬剤を掻き寄せて、まとめて掻き出すことができる。
【００９２】
上記した実施形態では、容器載置装置３と薬剤容器２によって一組の薬剤フィーダ５が構成され、散薬落下量を監視する構成が採用されている。しかしながら本発明は、この構成に限定されるものではなく、例えば従来技術として示した様な、トラフ９１０の下に図示しない圧電素子が設けられて、トラフ９１０を振動させる構造の粉体フィーダ９０６を使用することもできる。
この場合には、薬剤師が所定量の散薬を量り出し、この散薬をホッパー９０５に投入して分配皿９１２内に落下させることとなる。
【００９３】
また本発明のさらに解決すべき課題として、分散配置モードで運転する場合に、薬剤の落下量が不安定になる懸念が挙げられる。
即ち本発明では、分散配置モードで運転する場合に、容器載置装置３を振動させて薬剤容器２から薬剤を排出させ、所定量の排出を終えると容器載置装置３の振動を停止し、さらに一定時間が経過した後に容器載置装置３を振動させて薬剤容器２から薬剤を排出させる。
ここで薬剤容器２内の薬剤の挙動について考察すると、薬剤容器２は、縦姿勢で保管されているから、内部の薬剤は、縦姿勢を基準として底の部位に集まっており、薬剤排出口からは遠い。
そして容器載置装置３が振動を開始すると、図６の様に内部の薬剤は、ゆっくりと薬剤排出口に向かって前進し、遂には薬剤排出部８から落下する。そして薬剤は前進する際に層状に慣らされる。
ところが、二回目の排出の際には、薬剤の先頭部分は、既に薬剤排出部８に至っている。そのため一回目の排出と二回目以降の排出は排出条件が相違することとなる。
【００９４】
この問題を解決する手段として、二回目以降の排出を開始する際に、振動パターンを換えて容器載置装置３を動作させ、薬剤を一旦、底の部位に移動させることが考えられる。
また二回目以降の排出を開始する際に、容器移動手段７００のハンド部７０７で、薬剤容器２を保持して一旦縦姿勢にしたり、或いは薬剤排出部８を上にして傾斜させ、その後に薬剤容器２を再装着してもよい。この工程を経ることにより、薬剤の先頭部分が後退し、二回目以降も同じ排出条件で薬剤を排出させることができ、精度の高い分散配置を実現することができる。
【００９５】
上記した実施形態では、分散配置モードにおいて薬剤容器２から分配皿２０１に対して薬剤の投入する際、分配皿２０１の回転を停止して行ったが、分配皿２０１を低速で回転させつつ薬剤を投入してもよい。
【符号の説明】
【００９６】
１：薬剤払出し装置、２：薬剤容器、３：容器載置装置（本体装置）、５：薬剤フィーダ、８：薬剤排出部、２０：振動台、２１：加振手段、２２，２３，２４：散薬（散薬群）、２５：重量測定手段、３０ａ，３０ｂ：磁石（容器保持手段）、３１，３２，３３：混合薬剤群、３５，３６，３７：混合薬剤群、４５，４６，４７：混合薬剤群、５５，５６，５７：混合薬剤群、１０１：容器保管装置、２０１：分配皿、３００：薬剤包装領域、４１０：薬剤包装装置、６００：掻出装置、７００：容器移動手段、